(57)【要約】【課題】ユーザ・インターフェースの改良されたソーシャル・フィルタリングを提供する。【解決手段】一実施形態においては、方法は１つ以上のフィルタリング基準に少なくとも一部基づいて表示するためのコンテンツ・オブジェクトを識別する工程を含む。フィルタリング基準は、第１のユーザと、１人以上の第２のユーザまたは第１のユーザの現在の地理的位置との間のソーシャルグラフの情報に少なくとも一部基づいて表示される各コンテンツ・オブジェクトの適切さの尺度である。方法は、コンテンツ・オブジェクトにフィルタリング基準を適用する工程と、フィルタリング基準に少なくとも一部基づきコンテンツ・オブジェクトが表示に適切であるかどうかを判断し、これに基づいてユーザ・インターフェース（ＵＩ）上にコンテンツ・オブジェクトを表示する工程とを更に含む。【選択図】  図４
2018092646.tif 000002
【特許請求の範囲】
【請求項１】
コンピューティング・デバイスによって、１つ以上の基準に少なくとも一部基づき表示するためにコンテンツ・オブジェクトを識別する工程であって、該基準は、第１のユーザと、１人以上の第２のユーザまたは前記第１のユーザの現在の地理的位置との間のソーシャルグラフの情報に少なくとも一部基づく、コンテンツ・オブジェクトを識別する工程と、
前記コンピューティング・デバイスによって、前記コンテンツ・オブジェクトに前記基準を適用する工程と、
前記コンピューティング・デバイスによって、前記基準に少なくとも一部基づき前記コンテンツ・オブジェクトをユーザ・インターフェース（ＵＩ）上に表示する工程とを含むことを特徴とする方法。
【発明の詳細な説明】
【技術分野】
【０００１】
本開示は、コンテンツ・フィルタリングに関する。
【背景技術】
【０００２】
ソーシャルネットワーキング・システム（ソーシャルネットワーキング・ウェブサイトを含むことができる）は、そのソーシャルネットワーキング・システムのユーザ（人または組織など）がそのソーシャルネットワーキング・システムと、およびそのソーシャルネットワーキング・システムを通じて互いに対話することを可能にすることができる。ソーシャルネットワーキング・システムは、ユーザからの入力を用いて、そのユーザに関連付けられているユーザ・プロフィールを作成して、ソーシャルネットワーキング・システム内に格納することができる。ユーザ・プロフィールは、人口統計学的情報、通信チャネル情報、およびユーザの個人的な関心に関する情報を含むことができる。ソーシャルネットワーキング・システムは、ユーザからの入力を用いて、そのユーザと、ソーシャルネットワーキング・システムのその他のユーザとの関係のレコードを作成および格納すること、ならびにサービス（たとえば、ウォール・ポスト、写真共有、イベント編成、メッセージング、ゲーム、または広告）を提供して、ユーザ同士の間における社会的な交流を容易にすることも可能である。
【０００３】
ソーシャルネットワーキング・システムは、そのサービスに関連したコンテンツまたはメッセージを、１つまたは複数のネットワークを介して、ユーザのモバイルまたはその他のコンピューティング・デバイスへ送信することができる。ユーザは、自分のユーザ・プロフィールおよびソーシャルネットワーキング・システム内のその他のデータにアクセスするためにソフトウェア・アプリケーションを自分のモバイルまたはその他のコンピューティング・デバイス上にインストールすることもできる。ソーシャルネットワーキング・システムは、ユーザにつながっているその他のユーザの集約されたストーリのニュースフィードなど、ユーザに表示するためのコンテンツ・オブジェクトのパーソナライズされたセットを生成することができる。
【０００４】
スマートフォン、タブレット・コンピュータ、あるいはラップトップ・コンピュータなどのモバイル・コンピューティング・デバイスは、ＧＰＳレシーバ、コンパス、あるいはジャイロスコープのような、そのロケーション、方向、あるいは配向を測定するための機能を備える。この装置は、ブルートゥース通信、ニアフィールド・コミュニケーション（ＮＦＣ）、赤外線（ＩＲ）通信、あるいはワイヤレス・ローカル・エリア・ネットワーク（ＷＬＡＮ）や携帯電話ネットワークとの通信などの無線通信用の機能をさらに含む。この装置は、１つ以上のカメラ、スキャナ、タッチ・スクリーン、マイクロフォン、あるいはスピーカをさらに含む。モバイル・コンピューティング・デバイスは、ゲーム、ウェブ・ブラウザや、ソーシャルネットワーキング・アプリケーションなどのソフトウェア・アプリケーションの実行も行う。ソーシャルネットワーキング・アプリケーションにより、ユーザはソーシャル・ネットワークにおける他のユーザとつながり、情報を通信し、共有する。
【発明の概要】
【発明が解決しようとする課題】
【０００５】
本発明は、明細書に開示される。
【課題を解決するための手段】
【０００６】
所定の実施形態において、ユーザ・インターフェース（ＵＩ）上に表示されるユーザの１人以上の「友達」に関連付けられた１つ以上のコンテンツ・オブジェクトが１つ以上の基準に基づきフィルタリングされる。例えば、コンテンツ・オブジェクトは、コンピューティング・デバイスのＵＩ上に表示される、ユーザに向けられたイメージあるいはステータス・アップデートである。一例の基準は、各「友達」のユーザ・プロフィールあるいは他のソーシャルグラフの情報とユーザとの間の重なりの量に基づくユーザと各「友達」との間の「近接」の量である。例えば、ＵＩは、年齢、教育、関心や、宗教などのユーザとの多くの共通点を備えるユーザ・プロフィールを有する「友達」からのコンテンツ・オブジェクトを表示する。別例として、ロック・スクリーンは、ソーシャルグラフの情報に基づいて、同じ施設の利用者であるか、あるいは類似の音楽、本、テレビ番組や、スポーツ・チームを「いいね！」する「友達」からのコンテンツ・オブジェクトを表示する。
【０００７】
別のフィルタリング基準は、特定の地理的位置の成熟しきい値レベルであり、ここでしきい値を超える成熟等級を備えるコンテンツ・オブジェクトがＵＩ上に表示される。例えば、モバイル・コンピューティング・デバイスが、例えば、バーやダンス・クラブなどの成人向けの施設にある場合の成熟しきい値は、モバイル・コンピューティング・デバイスが、例えば、ディズニーランド、教会や、高級レストランなどのより「家族向け」あるいは高級な場所にある場合の成熟しきい値と比べて、より低いであろう。例として、ユーザがバーに現在いるとソーシャルネットワーキング・システムが判断すると、ロック・スクリーンにより、「友達」によって共有される高い成熟等級を備えたコンテンツ・オブジェクトが選択可能となる。別の例として、ＵＩにより、高い成熟等級であるもののディズニーランドに関連付けられた成熟しきい値よりは低い成熟等級を備えるコンテンツ・オブジェクトの選択が防止される。
【０００８】
特定の実施形態においては、ＵＩ上に表示されるコンテンツ・オブジェクトは、モバイル・コンピューティング・デバイスの現在の位置に基づいて、動的に調整される。例えば、モバイル・コンピューティング・デバイスがダンス・クラブに現在ある場合、高い成熟等級を備えたコンテンツ・オブジェクトがＵＩ上に表示されるが、モバイル・コンピューティング・デバイスが後に教会に位置すると判断されると、より低い成熟等級を備えたコンテンツ・オブジェクトに代えられる。
【０００９】
ＵＩ上に表示されるコンテンツ・オブジェクトの別のフィルタリング基準は、ユーザのユーザ・プロフィールに基づく。例えば、所定のコンテンツ・オブジェクトが、年齢、宗教、関心などのユーザの特定の態様に基づきモバイル・コンピューティング・デバイスのＵＩ上に表示されるように選択される。例として、「友達」によって共有される高い成熟等級を備えたコンテンツ・オブジェクトは、ユーザが社会的に保守的である（例えば、年齢および宗教に基づく）ことを示すユーザ・プロフィールに基づきＵＩ上に表示されるように選択されない。
【００１０】
コンテンツ・オブジェクトの別のフィルタリング基準は、ソーシャル・スパム報告に基づく。ソーシャルネットワーキング・システム上のユーザは、特定のコンテンツ・オブジェクトが不快であるというフィードバックを提供する。例えば、他のユーザによって不快であるとフラグが立てられた「友達」によって共有されるコンテンツ・オブジェクトは、ＵＩ上に表示されることが防止される。
【図面の簡単な説明】
【００１１】
【図１】ソーシャルネットワーキング・システムに関連付けられた例示のネットワーク環境を示す図。
【図２】例示のモバイル・デバイスを示す図。
【図３Ａ】例示のユーザ・インターフェース（ＵＩ）用の、フィルタリングされたコンテンツを含む例示のワイヤフレームを示す図。
【図３Ｂ】例示のユーザ・インターフェース（ＵＩ）用の、フィルタリングされたコンテンツを含む例示のワイヤフレームを示す図。
【図４】ＵＩ上のコンテンツ・オブジェクトのソーシャル・フィルタリングの例示の方法を示す図。
【図５】例示のソーシャルグラフを示す図。
【図６】例示のコンピューティング・システムを示す図。
【発明を実施するための形態】
【００１２】
図１は、ソーシャルネットワーキング・システムに関連付けられている例示的なネットワーク環境１００を示している。ネットワーク環境１００は、ネットワーク１１０によって互いにつながっているクライアント・システム１３０、ソーシャルネットワーキング・システム１６０、およびサードパーティ・システム１７０を含む。図１は、クライアント・システム１３０、ソーシャルネットワーキング・システム１６０、サードパーティ・システム１７０、およびネットワーク１１０の特定の構成を示しているが、本開示は、クライアント・システム１３０、ソーシャルネットワーキング・システム１６０、サードパーティ・システム１７０、およびネットワーク１１０の任意の適切な構成を想定している。限定ではなく、例として、クライアント・システム１３０、ソーシャルネットワーキング・システム１６０、およびサードパーティ・システム１７０のうちの複数は、ネットワーク１１０を迂回して、互いに直接つながることが可能である。別の例として、クライアント・システム１３０、ソーシャルネットワーキング・システム１６０、およびサードパーティ・システム１７０のうちの複数は、物理的にまたは論理的に、全体としてまたは部分的に互いに同一場所に配置されることが可能である。その上、図１は、特定の数のクライアント・システム１３０、ソーシャルネットワーキング・システム１６０、サードパーティ・システム１７０、およびネットワーク１１０を示しているが、本開示は、任意の適切な数のクライアント・システム１３０、ソーシャルネットワーキング・システム１６０、サードパーティ・システム１７０、およびネットワーク１１０を想定している。限定ではなく、例として、ネットワーク環境１００は、複数のクライアント・システム１３０、ソーシャルネットワーキング・システム１６０、サードパーティ・システム１７０、およびネットワーク１１０を含むことができる。
【００１３】
本開示は、任意の適切なネットワーク１１０を想定している。限定ではなく、例として、ネットワーク１１０の１つまたは複数の部分は、アド・ホック・ネットワーク、イントラネット、エクストラネット、仮想プライベート・ネットワーク（ＶＰＮ）、ローカル・エリア・ネットワーク（ＬＡＮ）、ワイヤレスＬＡＮ（ＷＬＡＮ）、ワイド・エリア・ネットワーク（ＷＡＮ）、ワイヤレスＷＡＮ（ＷＷＡＮ）、メトロポリタン・エリア・ネットワーク（ＭＡＮ）、インターネットの一部分、公衆交換電話網（ＰＳＴＮ）の一部分、セルラー電話ネットワーク、またはこれらのうちの複数の組合せを含むことができる。ネットワーク１１０は、１つまたは複数のネットワーク１１０を含むことができる。
【００１４】
リンク１５０は、クライアント・システム１３０、ソーシャルネットワーキング・システム１６０、およびサードパーティ・システム１７０を通信ネットワーク１１０に、または互いに接続することができる。本開示は、任意の適切なリンク１５０を想定している。特定の実施形態においては、１つまたは複数のリンク１５０は、１つもしくは複数の有線リンク（たとえば、デジタル・サブスクライバ・ライン（ＤＳＬ）もしくはデータ・オーバ・ケーブル・サービス・インタフェース仕様（ＤＯＣＳＩＳ）など）、ワイヤレス・リンク（たとえば、Ｗｉ−Ｆｉもしくはワールドワイド・インターオペラビリティー・フォー・マイクロウェーブ・アクセス（ＷｉＭＡＸ）など）、または光リンク（たとえば、同期光ネットワーク（ＳＯＮＥＴ）もしくは同期デジタル階層（ＳＤＨ）など）を含む。特定の実施形態においては、１つまたは複数のリンク１５０はそれぞれ、アド・ホック・ネットワーク、イントラネット、エクストラネット、ＶＰＮ、ＬＡＮ、ＷＬＡＮ、ＷＡＮ、ＷＷＡＮ、ＭＡＮ、インターネットの一部分、ＰＳＴＮの一部分、セルラー・テクノロジーベースのネットワーク、衛星通信テクノロジーベースのネットワーク、別のリンク１５０、または複数のそのようなリンク１５０の組合せを含む。リンク１５０は、ネットワーク環境１００の全体を通じて必ずしも同じである必要はない。１つまたは複数の第１のリンク１５０は、１つまたは複数の点において１つまたは複数の第２のリンク１５０とは異なることが可能である。
【００１５】
特定の実施形態においては、クライアント・システム１３０は、クライアント・システム１３０によって実装またはサポートされる適切な機能を実行することができる、ハードウェア、ソフトウェア、もしくは組み込みロジック・コンポーネント、または複数のそのようなコンポーネントの組合せを含む電子デバイスであることが可能である。限定ではなく、例として、クライアント・システム１３０は、デスクトップ・コンピュータ、ノートブック・コンピュータもしくはラップトップ・コンピュータ、ネットブック、タブレット・コンピュータなどのコンピュータ・システム、ｅブック・リーダ、ＧＰＳデバイス、カメラ、携帯情報端末（ＰＤＡ）、ハンドヘルド電子デバイス、セルラー電話、スマートフォン、その他の適切な電子デバイス、またはそれらの任意の適切な組合せを含むことができる。本開示は、任意の適切なクライアント・システム１３０を想定している。クライアント・システム１３０は、クライアント・システム１３０のネットワーク・ユーザがネットワーク１１０にアクセスすることを可能にすることができる。クライアント・システム１３０は、自分のユーザがその他のクライアント・システム１３０のその他のユーザと通信することを可能にすることができる。
【００１６】
特定の実施形態においては、クライアント・システム１３０は、ＭＩＣＲＯＳＯＦＴ  ＩＮＴＥＲＮＥＴ  ＥＸＰＬＯＲＥＲ、ＧＯＯＧＬＥ  ＣＨＲＯＭＥ、またはＭＯＺＩＬＬＡ  ＦＩＲＥＦＯＸ（いずれも登録商標）などのウェブ・ブラウザ１３２を含むことができ、１つまたは複数のアドオン、プラグイン、またはＴＯＯＬＢＡＲもしくはＹＡＨＯＯ  ＴＯＯＬＢＡＲ（登録商標）などのその他の拡張を有することができる。クライアント・システム１３０のユーザは、ウェブ・ブラウザ１３２を特定のサーバ（サーバ１６２、またはサードパーティ・システム１７０に関連付けられているサーバなど）へ導くユニフォーム・リソース・ロケータ（ＵＲＬ）またはその他のアドレスを入力することができ、ウェブ・ブラウザ１３２は、ハイパー・テキスト転送プロトコル（ＨＴＴＰ）要求を生成して、そのＨＴＴＰ要求をサーバに通信することができる。サーバは、そのＨＴＴＰ要求を受け入れて、そのＨＴＴＰ要求に応答して１つまたは複数のハイパー・テキスト・マークアップ言語（ＨＴＭＬ）ファイルをクライアント・システム１３０に通信することができる。クライアント・システム１３０は、ユーザに提示するためにサーバからのＨＴＭＬファイルに基づいてウェブページをレンダリングすることができる。本開示は、任意の適切なウェブページ・ファイルを想定している。限定ではなく、例として、ウェブページは、特定のニーズに従って、ＨＴＭＬファイル、拡張可能ハイパー・テキスト・マークアップ言語（ＸＨＴＭＬ）ファイル、または拡張可能マークアップ言語（ＸＭＬ）ファイルからレンダリングすることができる。そのようなページは、限定ではなく、例として、ＪＡＶＡＳＣＲＩＰＴ（登録商標）、ＪＡＶＡ（登録商標）、ＭＩＣＲＯＳＯＦＴ  ＳＩＬＶＥＲＬＩＧＨＴで書かれたスクリプトなどのスクリプト、ＡＪＡＸ（Ａｓｙｎｃｈｒｏｎｏｕｓ  ＪＡＶＡＳＣＲＩＰＴ（登録商標）  ａｎｄ  ＸＭＬ）などのマークアップ言語とスクリプトの組合せなどを実行することもできる。本明細書においては、ウェブページへの参照は、適切な場合には、（そのウェブページをレンダリングするためにブラウザが使用することができる）１つまたは複数の対応するウェブページ・ファイルを含み、その逆もまた同様である。
【００１７】
特定の実施形態においては、ソーシャルネットワーキング・システム１６０は、オンライン・ソーシャル・ネットワークをホストすることができるネットワークアドレス指定可能なコンピューティング・システムであることが可能である。ソーシャルネットワーキング・システム１６０は、たとえば、ユーザ・プロフィール・データ、コンセプトプロフィール・データ、ソーシャルグラフ情報、またはオンライン・ソーシャル・ネットワークに関連したその他の適切なデータなどのソーシャル・ネットワーキング・データを生成すること、格納すること、受け取ること、および送信することが可能である。ソーシャルネットワーキング・システム１６０は、ネットワーク環境１００のその他のコンポーネントによって直接、またはネットワーク１１０を介してアクセスされることが可能である。特定の実施形態においては、ソーシャルネットワーキング・システム１６０は、１つまたは複数のサーバ１６２を含むことができる。それぞれのサーバ１６２は、単一のサーバ、または複数のコンピュータもしくは複数のデータセンターにわたる分散サーバであることが可能である。サーバ１６２は、限定ではなく、例として、ウェブ・サーバ、ニュース・サーバ、メール・サーバ、メッセージ・サーバ、広告サーバ、ファイル・サーバ、アプリケーション・サーバ、Ｅｘｃｈａｎｇｅサーバ、データベース・サーバ、プロキシ・サーバ、本明細書において記述されている機能もしくはプロセスを実行するのに適している別のサーバ、またはそれらの任意の組合せなど、さまざまなタイプのものであることが可能である。特定の実施形態においては、それぞれのサーバ１６２は、サーバ１６２によって実装またはサポートされる適切な機能を実行するためのハードウェア、ソフトウェア、もしくは組み込みロジック・コンポーネント、または複数のそのようなコンポーネントの組合せを含むことができる。特定の実施形態においては、ソーシャルネットワーキング・システム１６４は、１つまたは複数のデータ・ストア１６４を含むことができる。データ・ストア１６４は、さまざまなタイプの情報を格納するために使用されることが可能である。特定の実施形態においては、データ・ストア１６４内に格納されている情報は、特定のデータ構造に従って編成されることが可能である。特定の実施形態においては、それぞれのデータ・ストア１６４は、リレーショナル・データベース、行のデータベース、相関関係データベース、あるいはその他の適切なデータベースであることが可能である。本開示は特定のタイプのデータベースを記述し、例示するが、本開示においては、任意の適切なタイプのデータベースが考えられる。特定の実施形態は、クライアント・システム１３０、ソーシャルネットワーキング・システム１６０、またはサードパーティ・システム１７０が、データ・ストア１６４内に格納されている情報を管理すること、取り出すこと、修正すること、追加すること、または削除することを可能にするインタフェースを提供することができる。
【００１８】
特定の実施形態においては、ソーシャルネットワーキング・システム１６０は、１つまたは複数のソーシャルグラフを１つまたは複数のデータ・ストア１６４内に格納することができる。特定の実施形態においては、ソーシャルグラフは、複数のノード（複数のユーザ・ノード（それぞれが、特定のユーザに対応している）、または複数のコンセプト・ノード（それぞれが、特定のコンセプトに対応している）を含むことができる）と、ノード同士をつなげる複数のエッジとを含むことができる。ソーシャルネットワーキング・システム１６０は、オンライン・ソーシャル・ネットワークのユーザに、その他のユーザと通信および対話する能力を提供することができる。特定の実施形態においては、ユーザたちは、ソーシャルネットワーキング・システム１６０を介してオンライン・ソーシャル・ネットワークに参加し、次いで、自分たちがつながりたいと望むソーシャルネットワーキング・システム１６０のその他の複数のユーザにつながり（すなわち、関係）を付加することができる。本明細書においては、「友達」という用語は、ユーザがソーシャルネットワーキング・システム１６０を介して、つながり、関連付け、または関係を形成しているソーシャルネットワーキング・システム１６０のその他の任意のユーザを指すことができる。
【００１９】
特定の実施形態においては、ソーシャルネットワーキング・システム１６０は、ソーシャルネットワーキング・システム１６０によってサポートされるさまざまなタイプのアイテムまたはオブジェクトに関してアクションを取る能力をユーザに提供することができる。限定ではなく、例として、それらのアイテムおよびオブジェクトは、ソーシャルネットワーキング・システム１６０のユーザが属することが可能であるグループもしくはソーシャル・ネットワーク、ユーザが関心を抱く可能性があるイベントもしくはカレンダー・エントリー、ユーザが使用することができるコンピュータベースのアプリケーション、ユーザがサービスを介してアイテムを購入もしくは販売することを可能にするトランザクション、ユーザが実行することができる広告との対話、またはその他の適切なアイテムもしくはオブジェクトを含むことができる。ユーザは、ソーシャルネットワーキング・システム１６０において、またはサードパーティ・システム１７０の外部システム（ソーシャルネットワーキング・システム１６０とは別個のものであって、ネットワーク１１０を介してソーシャルネットワーキング・システム１６０に結合されている）によって表されることが可能である任意のものと対話することができる。
【００２０】
特定の実施形態においては、ソーシャルネットワーキング・システム１６０は、さまざまなエンティティ同士をリンクできることが可能である。限定ではなく、例として、ソーシャルネットワーキング・システム１６０は、ユーザたちが互いに対話すること、ならびにサードパーティ・システム１７０もしくはその他のエンティティからのコンテンツを受け取ることを可能にすることができ、またはユーザたちがアプリケーション・プログラミング・インタフェース（ＡＰＩ）もしくはその他の通信チャネルを通じてこれらのエンティティと対話することを可能にすることができる。
【００２１】
特定の実施形態においては、サードパーティ・システム１７０は、１つもしくは複数のタイプのサーバ、１つもしくは複数のデータ・ストア、１つもしくは複数のインタフェース（ＡＰＩを含むが、それには限定されない）、１つもしくは複数のウェブ・サービス、１つもしくは複数のコンテンツ・ソース、１つもしくは複数のネットワーク、または（たとえば、サーバが通信することができる）その他の任意の適切なコンポーネントを含むことができる。サードパーティ・システム１７０は、ソーシャルネットワーキング・システム１６０を運営しているエンティティとは異なるエンティティによって運営されることが可能である。しかしながら、特定の実施形態においては、ソーシャルネットワーキング・システム１６０およびサードパーティ・システム１７０は、ソーシャルネットワーキング・システム１６０またはサードパーティ・システム１７０のユーザにソーシャルネットワーキング・サービスを提供するために互いに連携して機能することができる。この意味において、ソーシャルネットワーキング・システム１６０は、サードパーティ・システム１７０などのその他のシステムがインターネットを介してソーシャルネットワーキング・サービスおよび機能をユーザに提供するために使用することができるプラットフォーム、またはバックボーンを提供することができる。
【００２２】
特定の実施形態においては、サードパーティ・システム１７０は、サードパーティ・コンテンツ・オブジェクト・プロバイダを含むことができる。サードパーティ・コンテンツ・オブジェクト・プロバイダは、コンテンツ・オブジェクトの１つまたは複数のソースを含むことができ、それらのソースは、クライアント・システム１３０に通信されることが可能である。限定ではなく、例として、コンテンツ・オブジェクトは、ユーザにとって関心がある物またはアクティビティに関する情報、たとえば、映画の開始時刻、映画のレビュー、レストランのレビュー、レストランのメニュー、製品の情報およびレビュー、またはその他の適切な情報などを含むことができる。限定ではなく、別の例として、コンテンツ・オブジェクトは、インセンティブ・コンテンツ・オブジェクト、たとえば、クーポン、ディスカウント・チケット、ギフト券、またはその他の適切なインセンティブ・オブジェクトを含むことができる。
【００２３】
特定の実施形態においては、ソーシャルネットワーキング・システム１６０は、さまざまなサーバ、サブシステム、プログラム、モジュール、ログ、およびデータ・ストアを含むことができる。特定の実施形態においては、ソーシャルネットワーキング・システム１６０は、ウェブ・サーバ、アクション・ロガー、ＡＰＩ要求サーバ、関連性およびランキング・エンジン、コンテンツ・オブジェクト分類子、通知コントローラ、アクション・ログ、サードパーティ・コンテンツ・オブジェクト露出ログ、推測モジュール、認可／プライバシー・サーバ、検索モジュール、広告ターゲティング・モジュール、ユーザインタフェース・モジュール、ユーザプロフィール・ストア、つながりストア、サードパーティ・コンテンツ・ストア、またはロケーション・ストアのうちの１つまたは複数を含むことができる。ソーシャルネットワーキング・システム１６０は、適切なコンポーネント、たとえば、ネットワーク・インタフェース、セキュリティー・メカニズム、ロード・バランサ、フェイルオーバ・サーバ、管理およびネットワークオペレーション・コンソール、その他の適切なコンポーネント、またはそれらの任意の適切な組合せを含むこともできる。特定の実施形態においては、ソーシャルネットワーキング・システム１６０は、ユーザ・プロフィールを格納するための１つまたは複数のユーザプロフィール・ストアを含むことができる。ユーザ・プロフィールは、たとえば、経歴情報、人口統計学的情報、挙動情報、ソーシャルな情報、またはその他のタイプの記述的情報、たとえば、職業経験、学歴、趣味もしくは好み、関心、親近感、またはロケーションを含むことができる。関心情報は、１つまたは複数のカテゴリに関連した関心を含むことができる。カテゴリは、一般的または具体的であることが可能である。限定ではなく、例として、ユーザが、あるブランドの靴に関する記事に対して「いいね！」を表明した場合には、カテゴリは、そのブランド、または「靴」もしくは「衣類」という一般的なカテゴリであることが可能である。ユーザに関するつながり情報を格納するために、つながりストアが使用されることが可能である。つながり情報は、類似のもしくは共通の職業経験、グループ・メンバーシップ、趣味、学歴を有しているか、または何らかの形で関連しているか、もしくは共通の属性を共有しているユーザ同士を示すことができる。つながり情報は、さまざまなユーザおよびコンテンツ（内部および外部の両方）の間におけるユーザ定義のつながりを含むこともできる。特定の実施形態においては、クライアント・システム１３０のＵＩ上に表示される「友達」によって共有されるコンテンツ・オブジェクトの選択は、上述したつながり上方に少なくとも一部基づく。ネットワーク１１０を介してソーシャルネットワーキング・システム１６０を１つもしくは複数のクライアント・システム１３０または１つもしくは複数のサードパーティ・システム１７０にリンクさせるために、ウェブ・サーバが使用されることが可能である。ウェブ・サーバは、ソーシャルネットワーキング・システム１６０と、１つまたは複数のクライアント・システム１３０との間においてメッセージを受け取って回送するためにメール・サーバまたはその他のメッセージング機能を含むことができる。ＡＰＩ要求サーバは、サードパーティ・システム１７０が、１つまたは複数のＡＰＩを呼び出すことによってソーシャルネットワーキング・システム１６０からの情報にアクセスすることを可能にすることができる。ソーシャルネットワーキング・システム１６０の上のまたは外のユーザのアクションに関してウェブ・サーバから通信を受け取るために、アクション・ロガーが使用されることが可能である。アクション・ログとともに、サードパーティコンテンツ・オブジェクトへのユーザの露出についてのサードパーティコンテンツオブジェクト・ログが保持されることが可能である。通知コントローラは、コンテンツ・オブジェクトに関する情報をクライアント・システム１３０に提供することができる。情報は、通知としてクライアント・システム１３０にプッシュ可能であり、または情報は、クライアント・システム１３０から受け取られた要求に応答してクライアント・システム１３０から引き出されることが可能である。サードパーティ・システム１７０などのサードパーティから受け取られたコンテンツ・オブジェクトを格納するために、サードパーティコンテンツオブジェクト・ストアが使用されることが可能である。ユーザに関連付けられているクライアント・システム１３０から受け取られたロケーション情報を格納するために、ロケーション・ストアが使用されることが可能である。広告価格設定モジュールが、ソーシャルな情報、現在時刻、ロケーション情報、またはその他の適切な情報を組み合わせて、関連がある広告を、通知の形式でユーザに提供することができる。
【００２４】
ソーシャルネットワーキング・システム１６０は、例えばユーザ・プロフィール・データ、コンセプトプロフィール・データ、ソーシャルグラフ情報、あるいはオンライン・ソーシャル・ネットワークと関係する他の適切なデータなどの、ソーシャル・ネットワーキング・データを生成し、格納し、送受信する。特定の実施形態においては、ソーシャルネットワーキング・システム１６０はユーザ生成のコンテンツ・オブジェクトを更に含み、これは、ユーザのソーシャルネットワーキング・システム１６０との対話を増やす。ユーザ生成コンテンツは、ユーザがソーシャルネットワーキング・システム１６０に付加、アップロード、送信、あるいは「投稿」可能なすべてのものを含む。制限ではなく、例として、ユーザはクライアント・システム１３０からソーシャルネットワーキング・システム１６０に投稿を送信する。投稿は、ステータス・アップデートあるいは他のテキスト・データ、ロケーション情報、写真、ビデオ、リンク、音楽、あるいは他の同様のデータや媒体などのデータを含む。コンテンツが、ニュースフィードやストリームなどの「通信チャンネル」を介してサードパーティによってソーシャルネットワーキング・システム１６０に更に付加される。後述するように、ソーシャルネットワーキング・システム１６０やサードパーティ・システム１７０上に格納される、ユーザの「友達」によって共有されるコンテンツ・オブジェクトは、クライアント・システム１３０のユーザ・インターフェース（ＵＩ）に表示される。特定の実施形態においては、特定のコンテンツ・オブジェクトのフィルタリングは、特定のコンテンツ・オブジェクトの表示がパブリックにアクセス可能であるＵＩ上で隠されるように行われる。制限ではなく、例として、クライアント・システム１３０上に表示されるコンテンツ・オブジェクトは、１つ以上の「フィルタリング」基準に少なくとも一部基づいて識別される。基準は、例えば、コンテンツ・オブジェクトを生成するユーザと、ソーシャルグラフあるいはユーザ・プロフィールの情報に少なくとも一部基づくクライアント・システム１３０のユーザとの間の共通性の量、クライアント・システム１３０の特定の地理的位置に関連付けられた成熟しきい値レベル、ソーシャル・スパム報告、あるいはこれらの任意の組み合わせなどである。特定の実施形態においては、「フィルタリング」基準は、クライアント・システム１３０のＵＩ上に表示される各コンテンツ・オブジェクトの適応性の基準と考えられ、１つ以上の「フィルタリング」基準が、ユーザの「友達」によって共有されるコンテンツ・オブジェクトに適用される。本開示は特定の「フィルタリング」基準に基づく特定のコンピューティング・システムによるコンテンツ・オブジェクトの識別について記述するが、本開示においては、例えばサードパーティ・システムやクライアント・システムなどの任意の適切なコンピューティング・システムによる任意の適切な基準に基づくコンテンツ・オブジェクトの識別が考えられる。
【００２５】
後述するように、クライアント・システム１３０およびソーシャルネットワーキング・システム１６０上の「友達」に関連付けられるユーザと、ソーシャルネットワーキング・システム１６０の他のユーザとのつながりは、ソーシャルグラフ上に格納される。特定の実施形態においては、特定の「フィルタリング」基準は、ユーザと、各コンテンツ・オブジェクトを生成した「友達」との間の近接である。更に、ソーシャルネットワーキング・システム１６０は、ユーザのソーシャルグラフにアクセスし、ユーザと、クライアント・システム１３０の１つ以上のＵＩ上に表示されると考えられる各コンテンツ・オブジェクトを生成した「友達」との間の近接を判断する。これに代えて、ソーシャルネットワーキング・システムは、ソーシャルグラフのノード間の隔たりの程度によってランク付けされ、このソーシャルグラフ間の隔たりの程度の判断は、２０１１年１２月２日に出願され、発明の名称が「オンライン・ソーシャル・ネットワークのメンバー間の情報の流れを管理するシステムおよび方法」である米国特許出願第１３／３１０５６４号明細書に開示され、その全体がここに開示されたものとする。
【００２６】
制限ではなく、例として、ソーシャルネットワーキング・システム１６０は、エッジによってユーザにつながる「友達」によって生成されたコンテンツ・オブジェクトを、もう１人の「友達」を介してユーザにつながる「友達」によって生成されたコンテンツ・オブジェクトに対して、表示するために識別する。別の例として、ソーシャルネットワーキング・システム１６０は、「友情」エッジによってユーザにつながる「友達」によって生成されたコンテンツ・オブジェクトを、「仕事関係」エッジを介してユーザにつながる「友達」によって生成されたコンテンツ・オブジェクトに対して、表示するために識別する。後述するように、ソーシャルグラフの情報は、例えばビジネスのようなコンセプト・ノードに関連付けられたアクティビティ（例えば「いいね！」や「チェックイン」）に関係する情報を含む。制限ではなく、例として、ソーシャルネットワーキング・システム１６０は、ユーザと同じ施設あるいは娯楽開催地の利用者であるユーザの「友達」によって共有される１つ以上のコンテンツ・オブジェクトを識別する。別例として、ソーシャルネットワーキング・システム１６０は、ユーザと同じスポーツ・チーム、映画、本、あるいはテレビ番組に「いいね！」するユーザの「友達」によって共有される１つ以上のコンテンツ・オブジェクトを識別する。
【００２７】
上述したように、ソーシャルネットワーキング・システム１６０はユーザに関連付けられたユーザ・プロフィール・データを格納する。特定の実施形態においては、ソーシャルネットワーキング・システム１６０やサードパーティ・システム１７０は、ユーザと１つ以上のコンテンツ・オブジェクトを共有するユーザおよび各「友達」のユーザ・プロフィール・データにアクセスする。更に、ソーシャルネットワーキング・システム１６０やサードパーティ・システム１７０は、例えばコンテンツ・オブジェクトを共有するユーザと各「友達」との間のユーザ・プロフィール・データ間の重なりの量のような特定の「フィルタリング」基準に少なくとも一部基づきクライアント・システム１３０の１つ以上のＵＩ上に表示する１つ以上のコンテンツ・オブジェクトを識別する。制限ではなく、例として、ソーシャルネットワーキング・システム１６０は、例えば、同様の年齢、教育、関心、あるいは宗教などの、ユーザのプロフィールとの所定の程度の共通性を有するユーザ・プロフィールを有する１人以上の「友達」からのコンテンツ・オブジェクトを表示するために識別する。
【００２８】
特定の実施形態においては、「フィルタリング」基準は、各コンテンツ・オブジェクトに関連付けられる成熟等級に基づく。更に、ソーシャルネットワーキング・システム１６０やサードパーティ・システム１７０は、１つ以上のコンテンツ・オブジェクトに成熟等級を関連付ける。制限ではなく、例として、特定の地理的位置（例えば、バーやカジノ）や特定のサードパーティ・システム１７０、あるいはウェブサイト（例えば、成人の娯楽あるいはオンライン・デートに関連付けられる）からのコンテンツ・オブジェクト（例えば「チェックイン」）は、「成人向け」と考えられ、比較的高い成熟等級を有する。別の例として、特定の地理的位置や、サードパーティ・システム１７０（例えばディズニーランドやＤＩＳＮＥＹ．ｃｏｍ）からのコンテンツ・オブジェクトは、「家族向け」と考えられ、比較的低い成熟等級を有する。特定の実施形態においては、クライアント・システム１３０上に表示される「友達」によって共有されるコンテンツ・オブジェクトの識別は、成熟しきい値レベルに対する各コンテンツ・オブジェクトの成熟等級に少なくとも一部基づく。制限ではなく、例として、成熟しきい値レベルは、クライアント・システム１３０の現在の地理的位置に関連付けられた情報に少なくとも一部基づく。例えば、クライアント・システム１３０の現在の地理的位置が教会にある場合、成熟しきい値レベルは比較的低く、クライアント・システム１３０の現在の地理的位置がナイトクラブにある場合、成熟しきい値レベルは比較的高い。特定の実施形態においては、クライアント・システム１３０のＵＩ上に表示されるコンテンツ・オブジェクトの識別は、例えば、年齢、宗教、関心、あるいはこれらの任意の組み合わせなどの、ユーザのユーザ・プロフィール情報につながるコンテンツ・オブジェクトの成熟等級に少なくとも一部基づき決定される。制限ではなく、例として、比較的高い成熟等級を備える「成人向け」コンテンツ・オブジェクトは、ユーザが社会的に保守的である（例えば、年齢や宗教に基づく）ことを示すユーザ・プロフィール情報に少なくとも一部基づき、示されることが抑止される。
【００２９】
特定の実施形態において、例えばソーシャルネットワーキング・システム１６０の１人以上のユーザがソーシャルネットワーキング・システム１６０上に格納される特定のコンテンツ・オブジェクトに対して公衆の閲覧には攻撃的であるか不適切であるとフラグを立てる１つ以上のコンテンツ・オブジェクトに関するユーザのフィードバックは、「フィルタリング」基準の基礎である。更に、特定のコンテンツ・オブジェクトがソーシャルネットワーキング・システム１６０から取り除かれなくても、クライアント・システム１０のＵＩ上へのフラグが立てられたコンテンツ・オブジェクトの表示は、ソーシャルネットワーキング・システム１６０の他のユーザのフィードバックに少なくとも一部基づき抑えられる。制限ではなく、例として、ユーザは、粗野な言語によるコンテンツ・オブジェクトを攻撃的であるとフラグを立てる。更に、ソーシャルネットワーキング・システム１６０のＵＩは、特定のコンテンツ・オブジェクトに「スパム」としてフラグを立てるための、ソーシャルネットワーキング・システム１６０のユーザ用の対話型の要素を含む。
【００３０】
特定の実施形態においては、ソーシャルネットワーキング・システム１６０やサードパーティ・システム１７０は、クライアント・システム１３０から所在情報を得るためのアクティベーション信号を使用してクライアント・システム１３０にポーリングまたは「ｐｉｎｇ」をする。特定の実施形態においては、所在情報は、上述したようなソーシャルネットワーキング・システム１６０のロケーション・ストアに格納される。制限ではなく、例として、ソーシャルネットワーキング・システム１６０は、クライアント・システム１３０のロケーション・サービスをアクティベートするアクティベーション信号を送信することにより、位置データ用のクライアント・システム１３０上で実行されるアプリケーションやプログラムをポーリングする。アクティベーション信号はネットワーク１１０を使用して送信される。特定の実施形態においては、クライアント・システム１３０のロケーション・サービスは、例えば、１つ以上の携帯電話の電波塔の位置、ＷＩ−ＦＩホット・スポットに関連付けられたクラウドソーシングの所在情報、あるいはクライアント・システム１３０の全地球測位システム（ＧＰＳ）機能の使用など１つ以上の測位方法を使用する。上述したように、ソーシャルネットワーキング・システム１６０は、手入力することなく自動的に、クライアント・システム１３０によって提供される位置データに一部基づきクライアント・システム１３０に関連付けられる地理的位置を判断する。これに代えて、ソーシャルネットワーキング・システム１６０やサードパーティ・システム１７０は、ユーザによる位置情報の更新の開始により、あるいはユーザによって行われる「チェックイン」により、あるいはこれらの任意の組み合わせによって、クライアント・システム１３０の位置データを受信する。
【００３１】
上述したように、特定の瞬間の成熟しきい値レベルはクライアント・システム１３０の現在の地理的位置に少なくとも一部基づく。制限ではなく、例として、ソーシャルネットワーキング・システム１６０やサードパーティ・システム１７０は、例えばビジネスのタイプや数時間のオペレーションなどの特定の地理的位置に関連付けられたクライアント・システム１３０の地理的位置およびアクセス・ディレクトリ情報を判断して地理的位置の成熟しきい値レベルを決定する。例えば、クライアント・システム１３０から送信される位置データは、クライアント・システム１３０が教会に現在位置することを判断するために関連付けられるディレクトリ情報と相関する。更に、ソーシャルネットワーキング・システム１６０やサードパーティ・システム１７０は、ディレクトリ情報に少なくとも一部基づき、特定の地理的位置に比較的低い成熟しきい値レベルを割り当てる。特定の実施形態においては、ソーシャルネットワーキング・システム１６０は、クライアント・システム１３０の現在の地理的位置に関連づけられる成熟しきい値レベルよりも低い成熟等級を有するクライアント・システム１３０のＵＩ上に表示される、「友達」によって共有されるコンテンツ・オブジェクトを識別する。制限ではなく、例として、クライアント・システム１３０が例えばふれあい動物園などの比較的低い成熟しきい値レベルを備えた地理的位置にある場合、比較的高い成熟等級を備えた「成人向け」コンテンツ・オブジェクトは、クライアント・システム１３０のＵＩ上に表示されるように識別されない。別の例として、クライアント・システム１３０が例えば酒類小売店のような比較的高い成熟しきい値レベルを備える地理的位置にある場合、比較的高い成熟等級（例えば、「友達」がアルコール飲料の商標を「いいね！」した旨の通知）を備える「成人向け」コンテンツ・オブジェクトは、クライアント・システム１３０のＵＩ上に表示されるように識別される。後述するように、ソーシャルネットワーキング・システム１６０は、異なる成熟しきい値レベルを備える地理的位置間のクライアント・システム１３０の移動に基づき、クライアント・システム１３０のＵＩ上に表示されるコンテンツ・オブジェクトの識別を動的に調整する。
【００３２】
所定の実施形態においては、ソーシャルネットワーキング・システム１６０は、ユーザがソーシャルネットワーキング・システム１６０によってログを記録されるか、他のシステム（例、サードパーティ・システム１７０）と共有される行動を、例えば適切なプライバシー・セッティングを設定することによりオプトインまたはオプトアウトできるようにする認証サーバを含む。ソーシャルネットワーキング・システム１６０の認証サーバは、ソーシャルネットワーキング・システム１６０のユーザの１つ以上のプライバシー設定を強化するために使用される。ユーザのプライバシー設定により、ユーザに関連付けられた特定の情報あるいはコンテンツ・オブジェクトをどのように共有するかが決定される。特定の実施形態においては、他のユーザによって共有され、また、クライアント・システム１３０のＵＩ上に表示される、ソーシャルネットワーキング・システム１６０によって提供されるコンテンツ・オブジェクトは、ソーシャルネットワーキング・システム１６０のユーザのプライバシー設定によって制限される。
【００３３】
図２はモバイル・コンピューティング・デバイスを例示する。特定の実施形態においては、クライアント・システムは上述したようなモバイル・コンピューティング・デバイス１０である。本開示においては、任意の好適な物理的形態を取るモバイル・コンピューティング・デバイス１０が考えられる。特定の実施形態においては、モバイル・コンピューティング・デバイス１０は後述するようなコンピューティング・システムである。限定ではなく、例として、モバイル・コンピューティング・デバイス１０は、シングル・ボード・コンピュータ・システム（ＳＢＣ）（例えばコンピュータ・オン・モジュール（ＣＯＭ）やシステム・オン・モジュール（ＳＯＭ）などの）、ラップトップまたはノートブック・コンピュータ・システム、携帯電話、スマートフォン、携帯情報端末（ＰＤＡ）、タブレット・コンピュータ・システム、あるいはこれらの２つ以上の組み合わせである。特定の実施形態においては、モバイル・コンピューティング・デバイス１０は、入力コンポーネントとしてタッチ・センサ１２を有する。図２の例では、タッチ・センサ１２は、モバイル・デバイス１０の前面上に組み込まれる。静電容量式タッチ・センサの場合には、送受信の２つのタイプの電極が設けられる。これらの電極は、電気的なパルスにより送信電極を駆動するとともに接触または近接入力により生じる受信電極からの静電容量の変化を測定するように構成されるコントローラに接続される。図２の例では、１つ以上のアンテナ１４Ａおよび１４Ｂが、モバイル・コンピューティング・デバイス１０の１つ以上の側部に組み込まれる。アンテナ１４Ａおよび１４Ｂは、電流を電波に変換し、またその逆も行うコンポーネントである。信号の送信時に、トランスミッタは、アンテナ１４Ａおよび１４Ｂの端子に振動する高周波（ＲＦ）電流を適用し、アンテナ１４Ａおよび１４Ｂは適用された電流のエネルギーを電磁（ＥＭ）波として放射する。信号の受信時に、アンテナ１４Ａおよび１４Ｂは、アンテナ１４Ａおよび１４Ｂの端子で入力されるＥＭ波の電力を電圧に変換する。電圧は増幅用のレシーバに送信される。
【００３４】
多くのモバイル・コンピューティング・デバイス１０は、イーサネット（登録商標）や他の有線ベースのネットワークやワイヤレスＮＩＣ（ＷＮＩＣ）と通信するためのアンテナ１４Ａおよび１４Ｂに接続される通信コンポーネントと、例えば、セルラー・ネットワーク、第三世代移動体通信（３Ｇ）や、ロング・ターム・エボリューション（ＬＴＥ）ネットワークと通信するためのＷｉ−Ｆｉネットワークやモデムなどのワイヤレス・ネットワークと通信するための無線アダプタとを含む。本開示においては、任意の好適なネットワークおよびこれに対応する任意の好適な通信コンポーネントが考えられる。限定ではなく、例として、モバイル・コンピューティング・デバイス１０は、アド・ホック・ネットワーク、パーソナル・エリア・ネットワーク（ＰＡＮ）、ローカル・エリア・ネットワーク（ＬＡＮ）、ワイド・エリア・ネットワーク（ＷＡＮ）、メトロポリタン・エリア・ネットワーク（ＭＡＮ）、またはインターネットの１つまたは複数の部分、またはこれらのうちの複数の組合せと通信することができる。これらのネットワークのうちの１つまたは複数の１つまたは複数の部分は、有線または無線であることが可能である。別例として、モバイル・コンピューティング・デバイス１０は、ワイヤレスＰＡＮ（ＷＰＡＮ）（たとえば、ブルートゥースＷＰＡＮなど）、Ｗｉ−Ｆｉネットワーク、ＷＩ−ＭＡＸネットワーク、セルラー電話ネットワーク（たとえば、グローバル・システム・フォー・モバイル・コミュニケーションズ（ＧＳＭ（登録商標））ネットワーク、３Ｇ、あるいはＬＴＥネットワークなど）、またはその他の適切なワイヤレス・ネットワーク、またはこれらのうちの複数の組合せと通信することができる。モバイル・コンピューティング・デバイス１０は、これらのネットワークのうちの任意のものに対応する任意の好適な通信コンポーネントを含む。本開示は、特定のコンピューティング・デバイスを例示するとともに記述するが、本開示においては、例えば、パソコン、タブレット・コンピュータ、接続しているテレビ、あるいはスマートフォンなどの任意の適切なタイプのコンピューティング・デバイス上で実行されるロック・スクリーンが考えられる。
【００３５】
上述したように、モバイル・コンピューティング・デバイス１０は、ネットワークを介してソーシャルネットワーキング・システムと通信する。特定の実施形態においては、モバイル・コンピューティング・デバイス１０はソーシャルネットワーキング・システムからネットワークを介して１つ以上のコンテンツ・オブジェクトに対応するデータを受信する。特定の実施形態においては、電力を供給する際、モバイル・コンピューティング・デバイス１０は、ソーシャルネットワーキング・システムまたはサードパーティ・システムと通信し、モバイル・コンピューティング・システム１０の特定のＵＩ上に表示される、ソーシャルネットワーキング・システム上に格納された１つ以上のコンテンツ・オブジェクトを動的に要求する。上述したように、１つ以上のコンテンツ・オブジェクトが、ユーザの「友達」によってソーシャルネットワーキング・システム上で共有される。後述するように、ソーシャルネットワーキング・システムから受信されるデータに対応するコンテンツ・オブジェクトは、モバイル・コンピューティング・デバイス１０の１つ以上のＵＩ上に表示される。特定の実施形態においては、モバイル・コンピューティング・デバイス１０は、ソーシャルネットワーキング・システムから受信されるコンテンツ・オブジェクト上の１つ以上の「フィルタリング」基準を適用し、「フィルタリング」基準の適用に少なくとも一部基づきモバイル・コンピューティング・デバイス１０の１つ以上のＵＩ上に表示するように１つ以上のコンテンツ・オブジェクトを識別する。
【００３６】
特定の実施形態においては、モバイル・コンピューティング・デバイス１０のＵＩは、上述したように、ソーシャルグラフの情報に少なくとも一部基づいて識別されるユーザの「友達」によって共有されるコンテンツ・オブジェクトを表示する。特定の実施形態においては、社会的にフィルタリングされたコンテンツ・オブジェクトを備えるＵＩは、例えばモバイル・コンピューティング・デバイス１０のロック・スクリーンなどのＵＩである。ロック・スクリーンはロックされたモードにある間、モバイル・コンピューティング・デバイス１０との任意のまたは特定の対話を防止する。ロック・スクリーンは、モバイル・コンピューティング・デバイス１０がロックされたモードにある場合に表示され、モバイル・コンピューティング・デバイス１０は、予め定められたタッチ・ジェスチャを行うことにより、ロックされたモードから解放されるか、暗証番号（ＰＩＮ）ロックに指向する。特定の実施形態においては、ユーザは、予め定められたタッチ・ジェスチャを行うことにより、モバイル・コンピューティング・デバイス１０の通常の操作中に、ユーザに利用可能な全機能または機能の一部にアクセス可能である。本開示は特定のＵＩ要素を備える特定のＵＩを例示するとともに記述するが、本開示においては、任意の適切なＵＩ要素を備える、永続的または非永続的な任意の適切なＵＩが考えられる。
【００３７】
図３Ａおよび図３Ｂは、例示のＵＩのための、社会的にフィルタリングされたコンテンツ・オブジェクトを備える例示のワイヤフレームを示す。本開示は特定のコンピューティング・デバイスの特定のＵＩ上の社会的にフィルタリングされたコンテンツ・オブジェクトの表示を例示するとともに記述するが、本開示においては、例えばラップトップやデスクトップ・コンピュータなどの任意の適切なコンピューティング・デバイスの任意の適切なＵＩ上に社会的にフィルタリングされたコンテンツ・オブジェクトを表示することが考えられる。上述したように、社会的にフィルタリングされたコンテンツ・オブジェクト５０Ａおよび５０Ｂを備えたＵＩ５４は、モバイル・コンピューティング・デバイス１０がロックされたモードにある場合に表示されるロック・スクリーンである。上述したように、ＵＩ５４上に表示されるコンテンツ・オブジェクト５０Ａおよび５０Ｂの識別は、１つ以上の「フィルタリング」基準に少なくとも一部基づく。制限ではなく、例として、ユーザ「ジョー・スミス」によって共有されるコンテンツ・オブジェクト５０Ａは、上述したように、ユーザ「ジョー・スミス」と、モバイル・コンピューティング・デバイス１０に関連付けられたユーザとの間の近接に基づきＵＩ５４上に表示されるように識別される。図３Ａに例示するように、ユーザ「ドリー」によって共有されるコンテンツ・オブジェクト５０Ａは、ユーザ「ドリー」および例えばボート・レースのような共通の関心を有するモバイル・コンピューティング・デバイス１０に関連付けられたユーザを示すユーザ・プロフィール情報に少なくとも一部基づきＵＩ５４上に表示されるように識別される。
【００３８】
特定の実施形態においては、モバイル・コンピューティング・デバイス１０のＵＩ５４上に表示されるコンテンツ・オブジェクト５０Ａおよび５０Ｂの識別は、上述した異なる成熟しきい値レベルを備える地理的位置間のモバイル・コンピューティング・デバイス１０の移動に少なくとも一部基づき動的に調整される。本開示は動的に特定の「フィルタリング」基準に少なくとも一部基づき表示するための社会的にフィルタリングされた通知の識別を動的に調整することを記述するが、本開示においては、例えば時刻のような任意の適切な基準に基づき社会的にフィルタリングされたコンテンツ・オブジェクトの識別を動的に調整することが考えられる。図３Ａに例示するように、比較的低い成熟等級を有する１つ以上のコンテンツ・オブジェクト５０Ａが、例えば、子どものびっくりハウスなどの比較的低い成熟しきい値レベルを備える地理的位置にあるモバイル・コンピューティング・デバイス１０に応じてＵＩ５４上に表示される。制限ではなく、例として、ＵＩ５４に示されるコンテンツ・オブジェクト５０Ａはそれぞれ現在の地理的位置に関連付けられた成熟しきい値レベルよりも低い成熟等級を有する。更に、成熟しきい値レベル以上の成熟等級を備えるコンテンツ・オブジェクト５０Ｂの表示が抑えられる。図３Ｂに例示するように、比較的高い成熟しきい値レベルを備える１つ以上のコンテンツ・オブジェクト５０Ｂが、比較的低い成熟しきい値レベルを備える地理的位置から例えばスポーツバーのような比較的高い成熟等級を備える地理的位置に移動するモバイル・コンピューティング・デバイス１０に応じてＵＩ５４上に表示される。制限ではなく、例として、コンテンツ・オブジェクト５０Ｂは、例えば他のユーザによって「スパム」としてフラグが立てられているか「成人向け」エンティティに関連付けられる暴力的グラフィックや、きわどいジョークなどの特性を有するコンテンツ・オブジェクト５０Ｂに基づき比較的高い成熟等級が割り当てられる。逆に、コンテンツ・オブジェクト５０Ａおよび５０Ｂの表示の動的調整は、比較的高い成熟しきい値レベルを備える地理的位置から低い成熟しきい値レベルを備える地理的位置に移動するモバイル・コンピューティング・デバイス１０に応じて行われる。
【００３９】
これに代えて、あるいは付加的に、表示するコンテンツ・オブジェクトの識別および成熟しきい値レベルの決定は、時刻に少なくとも一部基づく。制限ではなく、例として、「成人向け」コンテンツ・オブジェクト５０Ｂは、例えば午後１０時以降のような比較的高い成熟しきい値レベルを有する時間にＵＩ５４上に表示されるように識別される。更に、コンテンツ・オブジェクト５０Ａおよび５０Ｂの表示は、比較的低い成熟等級を備えるコンテンツ・オブジェクト５０Ａが昼間時間にＵＩ５４上に表示され、比較的高い成熟等級を備えるコンテンツ・オブジェクト５０Ｂが遅い夜間に表示されるように、時間にわたって調整される。
【００４０】
図４は、ＵＩ上でアプリケーションをソーシャライズする例示の方法を示す。方法は工程３００から開始する。工程３００において、コンピューティング・デバイスは、１つ以上の基準に少なくとも一部基づき表示されるコンテンツ・オブジェクトを識別する。特定の実施形態においては、基準は、第１のユーザと、１人以上の第２のユーザあるいは第１のユーザの現在の地理的位置との間のソーシャルグラフの情報に少なくとも一部基づき表示される各コンテンツ・オブジェクトの適応性の尺度である。特定の実施形態においては、コンピューティング・デバイスはソーシャルネットワーキング・システムのサーバ・コンピューティング・デバイスである。特定の実施形態においては、コンピューティング・デバイスは第１のユーザのモバイル・コンピューティング・デバイスであり、ＵＩはモバイル・コンピューティング・デバイスのロック・スクリーンである。工程３０２では、コンピューティング・デバイスによって、コンテンツ・オブジェクトに基準が適用される。工程３０４では、コンピューティング・デバイスは、基準に少なくとも一部基づきコンテンツ・オブジェクトが表示に適切であるかどうかを判断し、これに基づいてユーザ・インターフェース（ＵＩ）上にコンテンツ・オブジェクトを表示する。この時点で方法は終了する。本開示は特定の順序で生じるものとして図４の方法の特定の工程について記述し、例示しているが、本開示において任意の好適な順序で生じる図４の方法の任意の好適な工程も考えられる。更に、本開示は図４の方法の特定の工程を行う特定のコンポーネントについて記述し、例示するが、本開示においては、図４の方法の任意の適切な工程を実施する任意の適切なコンポーネントの任意の適切な組み合わせも考えられる。
【００４１】
図５は、例示的なソーシャルグラフ２００を示している。特定の実施形態においては、ソーシャルネットワーキング・システム１６０は、１つまたは複数のソーシャルグラフ２００を１つまたは複数のデータ・ストア内に格納することができる。特定の実施形態においては、ソーシャルグラフ２００は、複数のノード（複数のユーザ・ノード２０２、または複数のコンセプト・ノード２０４を含むことができる）と、ノード同士をつなげる複数のエッジ２０６とを含むことができる。図５において示されている例示的なソーシャルグラフ２００は、教示上の目的から、２次元のビジュアル・マップ表示で示されている。特定の実施形態においては、ソーシャルネットワーキング・システム１６０、クライアント・システム１３０、またはサードパーティ・システム１７０は、適切なアプリケーションに関してソーシャルグラフ２００および関連したソーシャルグラフ情報にアクセスすることができる。ソーシャルグラフ２００のノードおよびエッジは、データ・オブジェクトとして、たとえば（ソーシャルグラフ・データベースなどの）データ・ストア内に格納されることが可能である。そのようなデータ・ストアは、ソーシャルグラフ２００のノードまたはエッジの１つまたは複数の検索可能なまたはクエリ可能なインデックスを含むことができる。
【００４２】
特定の実施形態においては、ユーザ・ノード２０２は、ソーシャルネットワーキング・システム１６０のユーザに対応することができる。限定ではなく、例として、ユーザは、ソーシャルネットワーキング・システム１６０と、またはソーシャルネットワーキング・システム１６０を介して対話または通信する個人（人間のユーザ）、エンティティ（たとえば、企業、ビジネス、もしくはサードパーティ・アプリケーション）、または（たとえば、個人もしくはエンティティの）グループであることが可能である。特定の実施形態においては、あるユーザがソーシャルネットワーキング・システム１６０とのアカウントに登録した場合には、ソーシャルネットワーキング・システム１６０は、そのユーザに対応するユーザ・ノード２０２を作成し、そのユーザ・ノード２０２を１つまたは複数のデータ・ストア内に格納することができる。本明細書において記述されているユーザおよびユーザ・ノード２０２は、適切な場合には、登録されているユーザ、および登録されているユーザに関連付けられているユーザ・ノード２０２を指すことができる。追加として、または代替として、本明細書において記述されているユーザおよびユーザ・ノード２０２は、適切な場合には、ソーシャルネットワーキング・システム１６０に登録されていないユーザを指すことができる。特定の実施形態においては、ユーザ・ノード２０２は、ユーザによって提供された情報、またはソーシャルネットワーキング・システム１６０を含むさまざまなシステムによって収集された情報に関連付けられることが可能である。限定ではなく、例として、ユーザは、自分の名前、プロフィール画像、連絡先情報、生年月日、性別、婚姻状況、家族状況、勤務先、学歴、好み、関心、またはその他の人口統計学的情報を提供することができる。特定の実施形態においては、ユーザ・ノード２０２は、ユーザに関連付けられている情報に対応する１つまたは複数のデータ・オブジェクトに関連付けられることが可能である。特定の実施形態においては、ユーザ・ノード２０２は、１つまたは複数のウェブページに対応することができる。
【００４３】
特定の実施形態においては、コンセプト・ノード２０４は、コンセプトに対応することができる。限定ではなく、例として、コンセプトは、場所（たとえば、映画館、レストラン、ランドマーク、もしくは都市など）、ウェブサイト（たとえば、ソーシャルネットワーク・システム１６０に関連付けられているウェブサイト、もしくはウェブアプリケーション・サーバに関連付けられているサードパーティ・ウェブサイトなど）、エンティティ（たとえば、人、企業、グループ、スポーツ・チーム、もしくは有名人など）、ソーシャルネットワーキング・システム１６０内に、もしくはウェブアプリケーション・サーバなどの外部サーバ上に配置されることが可能であるリソース（たとえば、オーディオ・ファイル、ビデオ・ファイル、デジタル写真、テキスト・ファイル、構造化されたドキュメント、もしくはアプリケーションなど）、物的もしくは知的財産（たとえば、彫塑、絵画、映画、ゲーム、曲、アイディア、写真、もしくは執筆作品など）、ゲーム、アクティビティ、アイディアもしくは理論、別の適切なコンセプト、または複数のそのようなコンセプトに対応することができる。コンセプト・ノード２０４は、ユーザによって提供されたコンセプトの情報、またはソーシャルネットワーキング・システム１６０を含むさまざまなシステムによって収集された情報に関連付けられることが可能である。限定ではなく、例として、コンセプトの情報は、名前もしくはタイトル、１つもしくは複数のイメージ（たとえば、本の表紙のイメージ）、ロケーション（たとえば、住所もしくは地理的ロケーション）、（ＵＲＬに関連付けられることが可能である）ウェブサイト、連絡先情報（たとえば、電話番号もしくはＥメール・アドレス）、その他の適切なコンセプト情報、またはそのような情報の任意の適切な組合せを含むことができる。特定の実施形態においては、コンセプト・ノード２０４は、コンセプト・ノード２０４に関連付けられている情報に対応する１つまたは複数のデータ・オブジェクトに関連付けられることが可能である。特定の実施形態においては、コンセプト・ノード２０４は、１つまたは複数のウェブページに対応することができる。
【００４４】
特定の実施形態においては、ソーシャルグラフ２００内のノードは、ウェブページ（「プロフィール・ページ」と呼ばれる場合もある）を表すこと、またはウェブページによって表されることが可能である。プロフィール・ページは、ソーシャルネットワーキング・システム１６０によってホストされること、またはソーシャルネットワーキング・システム１６０にとってアクセス可能であることが可能である。プロフィール・ページは、サードパーティ・サーバ１７０に関連付けられているサードパーティ・ウェブサイト上にホストされることも可能である。限定ではなく、例として、特定の外部ウェブページに対応するプロフィール・ページは、その特定の外部ウェブページであることが可能であり、そのプロフィール・ページは、特定のコンセプト・ノード２０４に対応することができる。プロフィール・ページは、その他のユーザのうちのすべてまたは選択されたサブセットによって閲覧できることが可能である。限定ではなく、例として、ユーザ・ノード２０２は、対応するユーザプロフィール・ページを有することができ、そのユーザプロフィール・ページにおいては、対応するユーザが、コンテンツを付加すること、言明を行うこと、またはその他の形で自分自身を表現することが可能である。限定ではなく、別の例として、コンセプト・ノード２０４は、対応するコンセプトプロフィール・ページを有することができ、そのコンセプトプロフィール・ページにおいては、１人または複数のユーザが、特にコンセプト・ノード２０４に対応するコンセプトに関連して、コンテンツを付加すること、言明を行うこと、または自分自身を表現することが可能である。
【００４５】
特定の実施形態においては、コンセプト・ノード２０４は、サードパーティ・システム１７０によってホストされているサードパーティ・ウェブページまたはリソースを表すことができる。サードパーティ・ウェブページまたはリソースは、数ある要素の中でも、コンテンツ、選択可能なもしくはその他のアイコン、または、アクションもしくはアクティビティを表す（たとえば、ＪＡＶＡＳＣＲＩＰＴ（登録商標）、ＡＪＡＸ、もしくはＰＨＰコードで実装されることが可能である）その他の対話可能なオブジェクトを含むことができる。限定ではなく、例として、サードパーティ・ウェブページは、「いいね！」、「チェックイン」、「食べる」、「推奨する」、または別の適切なアクションもしくはアクティビティなどの選択可能なアイコンを含むことができる。サードパーティ・ウェブページを閲覧しているユーザは、それらのアイコンのうちの１つ（たとえば、「食べる」）を選択することによってアクションを実行して、クライアント・システム１３０に、そのユーザのアクションを示すメッセージをソーシャルネットワーキング・システム１６０へ送信させることができる。そのメッセージに応答して、ソーシャルネットワーキング・システム１６０は、ユーザに対応するユーザ・ノード２０２と、サードパーティ・ウェブページまたはリソースに対応するコンセプト・ノード２０４との間においてエッジ（たとえば、「食べる」エッジ）を作成して、エッジ２０６を１つまたは複数のデータ・ストア内に格納することができる。
【００４６】
特定の実施形態においては、ソーシャルグラフ２００内の１対のノードが、１つまたは複数のエッジ２０６によって互いにつながることが可能である。１対のノードをつなげるエッジ２０６は、それらの１対のノードの間における関係を表すことができる。特定の実施形態においては、エッジ２０６は、１対のノードの間における関係に対応する１つまたは複数のデータ・オブジェクトまたは属性を含むことまたは表すことが可能である。限定ではなく、例として、第１のユーザは、第２のユーザが第１のユーザの「友達」であるということを示すことができる。この表示に応答して、ソーシャルネットワーキング・システム１６０は、「友達要求」を第２のユーザに送信することができる。第２のユーザがその「友達要求」を承認した場合には、ソーシャルネットワーキング・システム１６０は、ソーシャルグラフ２００内で第１のユーザのユーザ・ノード２０２を第２のユーザのユーザ・ノード２０２につなげるエッジ２０６を作成して、エッジ２０６をソーシャルグラフ情報としてデータ・ストア２４のうちの１つまたは複数の中に格納することができる。図５の例においては、ソーシャルグラフ２００は、ユーザ「Ａ」のユーザ・ノード２０２と、ユーザ「Ｂ」のユーザ・ノード２０２との間における友達関係を示すエッジ２０６と、ユーザ「Ｃ」のユーザ・ノード２０２と、ユーザ「Ｂ」のユーザ・ノード２０２との間における友達関係を示すエッジとを含む。本開示は、特定のユーザ・ノード２０２同士をつなげる特定の属性を伴う特定のエッジ２０６を記述している、または示しているが、本開示は、ユーザ・ノード２０２同士をつなげる任意の適切な属性を伴う任意の適切なエッジ２０６を想定している。限定ではなく、例として、エッジ２０６は、友達関係、家族関係、ビジネスもしくは雇用関係、ファン関係、フォロワー関係、ビジター関係、サブスクライバ関係、上下関係、互恵的関係、非互恵的関係、別の適切なタイプの関係、または複数のそのような関係を表すことができる。その上、本開示は一般に、ノード同士をつながっているものとして記述しているが、本開示はまた、ユーザ同士またはコンセプト同士をつながっているものとして記述している。本明細書においては、つながっているユーザ同士またはコンセプト同士への言及は、適切な場合には、１つまたは複数のエッジ２０６によってソーシャルグラフ２００内でつながっているそれらのユーザ同士またはコンセプト同士に対応するノード同士を指すことができる。
【００４７】
特定の実施形態においては、ユーザ・ノード２０２とコンセプト・ノード２０４との間におけるエッジ２０６は、ユーザ・ノード２０２に関連付けられているユーザによって、コンセプト・ノード２０４に関連付けられているコンセプトに対して実行された特定のアクションまたはアクティビティを表すことができる。限定ではなく、例として、図５において示されているように、ユーザは、コンセプトに対して「いいね！を表明すること」、「通うこと」、「プレイすること」、「聴くこと」、「料理すること」、「勤務すること」、または「観ること」を行った可能性があり、それらのそれぞれは、エッジタイプまたはサブタイプに対応することができる。コンセプト・ノード２０４に対応するコンセプトプロフィール・ページは、たとえば、選択可能な「チェックイン」アイコン（たとえば、クリック可能な「チェックイン」アイコンなど）、または選択可能な「いいね！」アイコンを含むことができる。別例として、クライアント・システムのソーシャライズされたダッシュは、選択可能な「チェックイン」アイコン（例えば、クリック可能な「チェックイン」アイコンなど）を含む。同様に、ユーザがこれらのアイコンをクリックした後に、ソーシャルネットワーキング・システム１６０は、それぞれのアクションに対応するユーザのアクションに応答して「お気に入り」エッジまたは「チェックイン」エッジを作成することができる。限定ではなく、別の例として、あるユーザ（ユーザ「Ｃ」）が、特定のアプリケーション（オンライン音楽アプリケーションであるＳＰＯＴＩＦＹ）を使用して特定の曲（「ランブル・オン」）を聴く場合がある。このケースにおいては、ソーシャルネットワーキング・システム１６０は、そのユーザに対応するユーザ・ノード２０２と、その曲およびアプリケーションに対応するコンセプト・ノード２０４との間において、（図５に示されているような）「聴いた」エッジ２０６および「使用した」エッジを作成して、そのユーザがその曲を聴いてそのアプリケーションを使用したということを示すことができる。その上、ソーシャルネットワーキング・システム１６０は、その曲に対応するコンセプト・ノード２０４と、そのアプリケーションに対応するコンセプト・ノード２０４との間において、（図５に示されているような）「再生した」エッジ２０６を作成して、その特定の曲がその特定のアプリケーションによって再生されたということを示すことができる。このケースにおいては、「再生した」エッジ２０６は、外部アプリケーション（ＳＰＯＴＩＦＹ）によって外部オーディオ・ファイル（「イマジン」という曲）に関して実行されたアクションに対応する。本開示は、ユーザ・ノード２０２とコンセプト・ノード２０４とをつなげる特定の属性を伴う特定のエッジ２０６について記述しているが、本開示は、ユーザ・ノード２０２とコンセプト・ノード２０４とをつなげる任意の適切な属性を伴う任意の適切なエッジ２０６を想定している。その上、本開示は、単一の関係を表すユーザ・ノード２０２とコンセプト・ノード２０４との間におけるエッジについて記述しているが、本開示は、１つまたは複数の関係を表すユーザ・ノード２０２とコンセプト・ノード２０４との間におけるエッジを想定している。限定ではなく、例として、エッジ２０６は、ユーザが特定のコンセプトに対して「いいね！」を表明しているということ、およびその特定のコンセプトを使用したということの両方を表すことができる。あるいは、別のエッジ２０６は、（図５において、ユーザ「Ｅ」を表すユーザ・ノード２０２と、「ＳＰＯＴＩＦＹ」を表すコンセプト・ノード２０４との間において示されているような）ユーザ・ノード２０２とコンセプト・ノード２０４との間におけるそれぞれのタイプの関係（または、単一の関係が複数集まったもの）を表すことができる。
【００４８】
特定の実施形態においては、ソーシャルネットワーキング・システム１６０は、ソーシャルグラフ２００内でユーザ・ノード２０２とコンセプト・ノード２０４との間においてエッジ２０６を作成することができる。限定ではなく、例として、（たとえば、ユーザのクライアント・システム１３０によってホストされているウェブ・ブラウザまたは専用のアプリケーションを使用することなどによって）コンセプトプロフィール・ページを閲覧しているユーザは、「いいね！」アイコンをクリックまたは選択することにより、コンセプト・ノード２０４によって表されているコンセプトを自分が気に入っているということを示すことができ、その「いいね！」アイコンをクリックまたは選択することは、ユーザのクライアント・システム１３０に、そのコンセプトプロフィール・ページに関連付けられているそのコンセプトをそのユーザが気に入っているということを示すメッセージをソーシャルネットワーキング・システム１６０へ送信させることができる。そのメッセージに応答して、ソーシャルネットワーキング・システム１６０は、そのユーザとコンセプト・ノード２０４との間における「いいね！」エッジ２０６によって示されているように、そのユーザに関連付けられているユーザ・ノード２０２とコンセプト・ノード２０４との間においてエッジ２０６を作成することができる。特定の実施形態においては、ソーシャルネットワーキング・システム１６０は、エッジ２０６を１つまたは複数のデータ・ストア内に格納することができる。特定の実施形態においては、エッジ２０６は、特定のユーザ・アクションに応答してソーシャルネットワーキング・システム１６０によって自動的に形成されることが可能である。限定ではなく、例として、第１のユーザが、画像をアップロードすること、映画を観ること、または曲を聴くことを行った場合には、エッジ２０６は、第１のユーザに対応するユーザ・ノード２０２と、それらのコンセプトに対応するコンセプト・ノード２０４との間において形成されることが可能である。本開示は、特定の様式で特定のエッジ２０６を形成することについて記述しているが、本開示は、任意の適切な様式で任意の適切なエッジ２０６を形成することを想定している。
【００４９】
図６は、例示的なコンピューティング・システムを示している。特定の実施形態においては、１つまたは複数のコンピュータ・システム６０が、本明細書において記述されているまたは示されている１つまたは複数の方法の１つまたは複数の工程を実行する。特定の実施形態においては、１つまたは複数のコンピュータ・システム６０が、本明細書において記述されているまたは示されている機能を提供する。特定の実施形態においては、１つまたは複数のコンピュータ・システム６０上で稼働するソフトウェアが、本明細書において記述されているもしくは示されている１つもしくは複数の方法の１つもしくは複数の工程を実行し、または本明細書において記述されているもしくは示されている機能を提供する。特定の実施形態は、１つまたは複数のコンピュータ・システム６０の１つまたは複数の部分を含む。本明細書においては、コンピュータ・システムへの言及は、適切な場合には、コンピューティング・デバイスを包含することができる。その上、コンピュータ・システムへの言及は、適切な場合には、１つまたは複数のコンピュータ・システムを包含することができる。
【００５０】
本開示は、任意の適切な数のコンピュータ・システム６０を想定している。本開示は、任意の適切な物理的な形態を取るコンピュータ・システム６０を想定している。限定ではなく、例として、コンピュータ・システム６０は、組み込みコンピュータ・システム、システムオンチップ（ＳＯＣ）、シングルボード・コンピュータ・システム（ＳＢＣ）（たとえば、コンピュータオンモジュール（ＣＯＭ）もしくはシステムオンモジュール（ＳＯＭ）など）、デスクトップ・コンピュータ・システム、ラップトップもしくはノートブック・コンピュータ・システム、インタラクティブ・キオスク、メインフレーム、コンピュータ・システムのメッシュ、モバイル電話、携帯情報端末（ＰＤＡ）、サーバ、タブレット・コンピュータ・システム、またはこれらのうちの複数の組合せであることが可能である。適切な場合には、コンピュータ・システム６０は、１つもしくは複数のコンピュータ・システム６０を含むこと、単一型もしくは分散型であること、複数のロケーションにわたること、複数のマシンにわたること、複数のデータセンターにわたること、または、クラウド（１つもしくは複数のネットワーク内の１つもしくは複数のクラウド・コンポーネントを含むことができる）内に常駐することが可能である。適切な場合には、１つまたは複数のコンピュータ・システム６０は、本明細書において記述されているまたは示されている１つまたは複数の方法の１つまたは複数の工程を、実質的な空間上のまたは時間上の制限を伴わずに実行することができる。限定ではなく、例として、１つまたは複数のコンピュータ・システム６０は、本明細書において記述されているまたは示されている１つまたは複数の方法の１つまたは複数の工程をリアル・タイムで、またはバッチ・モードで実行することができる。１つまたは複数のコンピュータ・システム６０は、適切な場合には、本明細書において記述されているまたは示されている１つまたは複数の方法の１つまたは複数の工程を別々の時点で、または別々のロケーションで実行することができる。
【００５１】
特定の実施形態においては、コンピュータ・システム６０は、プロセッサ６２、メモリ６４、ストレージ６６、入力／出力（Ｉ／Ｏ）インタフェース６８、通信インタフェース７０、およびバス７２を含む。本開示は、特定の数の特定のコンポーネントを特定の構成で有する特定のコンピュータ・システムについて記述し、示しているが、本開示は、任意の適切な数の任意の適切なコンポーネントを任意の適切な構成で有する任意の適切なコンピュータ・システムを想定している。
【００５２】
特定の実施形態においては、プロセッサ６２は、コンピュータ・プログラムを構成している命令などの命令を実行するためのハードウェアを含む。限定ではなく、例として、命令を実行するために、プロセッサ６２は、内部レジスタ、内部キャッシュ、メモリ６４、またはストレージ６６から命令を取り出し（またはフェッチし）、それらの命令をデコードして実行し、次いで、１つまたは複数の結果を内部レジスタ、内部キャッシュ、メモリ６４、またはストレージ６６に書き込むことができる。特定の実施形態においては、プロセッサ６２は、データ、命令、またはアドレスのための１つまたは複数の内部キャッシュを含むことができる。本開示は、適切な場合には、任意の適切な数の任意の適切な内部キャッシュを含むプロセッサ６２を想定している。限定ではなく、例として、プロセッサ６２は、１つまたは複数の命令キャッシュ、１つまたは複数のデータ・キャッシュ、および１つまたは複数の変換ルックアサイド・バッファ（ＴＬＢ）を含むことができる。命令キャッシュ内の命令は、メモリ６４またはストレージ６６内の命令のコピーであることが可能であり、命令キャッシュは、プロセッサ６２によるそれらの命令の取り出しをスピードアップすることができる。データ・キャッシュ内のデータは、プロセッサ６２において実行される命令が機能する際に基づくメモリ６４もしくはストレージ６６内のデータのコピー、プロセッサ６２において実行される後続の命令によるアクセスのための、もしくはメモリ６４もしくはストレージ６６への書き込みのためのプロセッサ６２において実行された以前の命令の結果、またはその他の適切なデータであることが可能である。データ・キャッシュは、プロセッサ６２による読み取りオペレーションまたは書き込みオペレーションをスピードアップすることができる。ＴＬＢは、プロセッサ６２のための仮想アドレス変換をスピードアップすることができる。特定の実施形態においては、プロセッサ６２は、データ、命令、またはアドレスのための１つまたは複数の内部レジスタを含むことができる。本開示は、適切な場合には、任意の適切な数の任意の適切な内部レジスタを含むプロセッサ６２を想定している。適切な場合には、プロセッサ６２は、１つまたは複数の演算ロジック・ユニット（ＡＬＵ）を含むこと、マルチコア・プロセッサであること、または１つもしくは複数のプロセッサ６２を含むことが可能である。本開示は、特定のプロセッサについて記述し、示しているが、本開示は、任意の適切なプロセッサを想定している。
【００５３】
特定の実施形態においては、メモリ６４は、プロセッサ６２が実行するための命令、またはプロセッサ６２が機能する際に基づくデータを格納するためのメイン・メモリを含む。限定ではなく、例として、コンピュータ・システム６０は、命令をストレージ６６または別のソース（たとえば、別のコンピュータ・システム６０など）からメモリ６４にロードすることができる。次いでプロセッサ６２は、命令をメモリ６４から内部レジスタまたは内部キャッシュにロードすることができる。命令を実行するために、プロセッサ６２は、命令を内部レジスタまたは内部キャッシュから取り出し、それらの命令をデコードすることができる。命令の実行中または実行後に、プロセッサ６２は、１つまたは複数の結果（それらは、中間の結果または最終的な結果である場合がある）を内部レジスタまたは内部キャッシュに書き込むことができる。次いでプロセッサ６２は、それらの結果のうちの１つまたは複数をメモリ６４に書き込むことができる。特定の実施形態においては、プロセッサ６２は、（ストレージ６６またはその他の場所ではなく）１つもしくは複数の内部レジスタもしくは内部キャッシュ内の、またはメモリ６４内の命令のみを実行し、（ストレージ６６またはその他の場所ではなく）１つもしくは複数の内部レジスタもしくは内部キャッシュ内の、またはメモリ６４内のデータ上でのみ機能する。１つまたは複数のメモリ・バス（それらはそれぞれ、アドレス・バスおよびデータ・バスを含むことができる）は、プロセッサ６２をメモリ６４に結合することができる。バス７２は、以降で記述されているような１つまたは複数のメモリ・バスを含むことができる。特定の実施形態においては、１つまたは複数のメモリ管理ユニット（ＭＭＵ）が、プロセッサ６２とメモリ６４との間に常駐し、プロセッサ６２によって要求されるメモリ６４へのアクセスを容易にする。特定の実施形態においては、メモリ６４は、ランダム・アクセス・メモリ（ＲＡＭ）を含む。このＲＡＭは、適切な場合には、揮発性メモリであることが可能である。適切な場合には、このＲＡＭは、ダイナミックＲＡＭ（ＤＲＡＭ）またはスタティックＲＡＭ（ＳＲＡＭ）であることが可能である。その上、適切な場合には、このＲＡＭは、シングルポートＲＡＭまたはマルチポートＲＡＭであることが可能である。本開示は、任意の適切なＲＡＭを想定している。メモリ６４は、適切な場合には、１つまたは複数のメモリ６４を含むことができる。本開示は、特定のメモリについて記述し、示しているが、本開示は、任意の適切なメモリを想定している。
【００５４】
特定の実施形態においては、ストレージ６６は、データまたは命令のためのマス・ストレージを含む。限定ではなく、例として、ストレージ６６は、ハード・ディスク・ドライブ（ＨＤＤ）、フロッピー（登録商標）・ディスク・ドライブ、フラッシュ・メモリ、光ディスク、光磁気ディスク、磁気テープ、またはユニバーサル・シリアル・バス（ＵＳＢ）ドライブ、またはこれらのうちの複数の組合せを含むことができる。ストレージ６６は、適切な場合には、取り外し可能なまたは取り外し不能な（すなわち、固定された）媒体を含むことができる。ストレージ６６は、適切な場合には、コンピュータ・システム６０の内部または外部に存在することが可能である。特定の実施形態においては、ストレージ６６は、不揮発性のソリッドステート・メモリである。特定の実施形態においては、ストレージ６６は、読み取り専用メモリ（ＲＯＭ）を含む。適切な場合には、このＲＯＭは、マスクプログラムＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的書替え可能ＲＯＭ（ＥＡＲＯＭ）、またはフラッシュ・メモリ、またはこれらのうちの複数の組合せであることが可能である。本開示は、任意の適切な物理的な形態を取るマス・ストレージ６６を想定している。ストレージ６６は、適切な場合には、プロセッサ６２とストレージ６６との間における通信を容易にする１つまたは複数のストレージ・コントロール・ユニットを含むことができる。適切な場合には、ストレージ６６は、１つまたは複数のストレージ６６を含むことができる。本開示は、特定のストレージについて記述し、示しているが、本開示は、任意の適切なストレージを想定している。
【００５５】
特定の実施形態においては、Ｉ／Ｏインタフェース６８は、コンピュータ・システム６０と１つまたは複数のＩ／Ｏデバイスとの間における通信のための１つまたは複数のインタフェースを提供するハードウェア、ソフトウェア、またはその両方を含む。コンピュータ・システム６０は、適切な場合には、これらのＩ／Ｏデバイスのうちの１つまたは複数を含むことができる。これらのＩ／Ｏデバイスのうちの１つまたは複数は、人とコンピュータ・システム６０との間における通信を可能にすることができる。限定ではなく、例として、Ｉ／Ｏデバイスは、キーボード、キーパッド、マイクロフォン、モニタ、マウス、プリンタ、スキャナ、スピーカ、スチル・カメラ、スタイラス、タブレット、タッチ・スクリーン、トラックボール、ビデオ・カメラ、別の適切なＩ／Ｏデバイス、またはこれらのうちの複数の組合せを含むことができる。Ｉ／Ｏデバイスは、１つまたは複数のセンサを含むことができる。本開示は、任意の適切なＩ／Ｏデバイス、およびそれらのＩ／Ｏデバイスのための任意の適切なＩ／Ｏインタフェース６８を想定している。適切な場合には、Ｉ／Ｏインタフェース６８は、プロセッサ６２がこれらのＩ／Ｏデバイスのうちの１つまたは複数を駆動することを可能にする１つまたは複数のデバイス・ドライバまたはソフトウェア・ドライバを含むことができる。Ｉ／Ｏインタフェース６８は、適切な場合には、１つまたは複数のＩ／Ｏインタフェース６８を含むことができる。本開示は、特定のＩ／Ｏインタフェースについて記述し、示しているが、本開示は、任意の適切なＩ／Ｏインタフェースを想定している。
【００５６】
特定の実施形態においては、通信インタフェース７０は、コンピュータ・システム６０と、１つもしくは複数のその他のコンピュータ・システム６０または１つもしくは複数のネットワークとの間における通信（たとえば、パケットベースの通信など）のための１つまたは複数のインタフェースを提供するハードウェア、ソフトウェア、またはその両方を含む。限定ではなく、例として、通信インタフェース７０は、イーサネット（登録商標）もしくはその他の有線ベースのネットワークと通信するためのネットワーク・インタフェース・コントローラ（ＮＩＣ）もしくはネットワーク・アダプタ、またはＷＩ−ＦＩネットワークなどのワイヤレス・ネットワークと通信するためのワイヤレスＮＩＣ（ＷＮＩＣ）もしくはワイヤレス・アダプタを含むことができる。本開示は、任意の適切なネットワーク、およびそのネットワークのための任意の適切な通信インタフェース７０を想定している。限定ではなく、例として、コンピュータ・システム６０は、アド・ホック・ネットワーク、パーソナル・エリア・ネットワーク（ＰＡＮ）、ローカル・エリア・ネットワーク（ＬＡＮ）、ワイド・エリア・ネットワーク（ＷＡＮ）、メトロポリタン・エリア・ネットワーク（ＭＡＮ）、またはインターネットの１つまたは複数の部分、またはこれらのうちの複数の組合せと通信することができる。これらのネットワークのうちの１つまたは複数の１つまたは複数の部分は、有線またはワイヤレスであることが可能である。例として、コンピュータ・システム６０は、ワイヤレスＰＡＮ（ＷＰＡＮ）（たとえば、ブルートゥースＷＰＡＮなど）、ＷＩ−ＦＩネットワーク、ＷＩ−ＭＡＸネットワーク、セルラー電話ネットワーク（たとえば、グローバル・システム・フォー・モバイル・コミュニケーションズ（ＧＳＭ（登録商標））ネットワークなど）、またはその他の適切なワイヤレス・ネットワーク、またはこれらのうちの複数の組合せと通信することができる。コンピュータ・システム６０は、適切な場合には、これらのネットワークのうちの任意のネットワークのための任意の適切な通信インタフェース７０を含むことができる。通信インタフェース７０は、適切な場合には、１つまたは複数の通信インタフェース７０を含むことができる。本開示は、特定の通信インタフェースについて記述し、示しているが、本開示は、任意の適切な通信インタフェースを想定している。
【００５７】
特定の実施形態においては、バス７２は、コンピュータ・システム６０のコンポーネント同士を互いに結合するハードウェア、ソフトウェア、またはその両方を含む。限定ではなく、例として、バス７２は、アクセラレイティッド・グラフィックス・ポート（ＡＧＰ）もしくはその他のグラフィックス・バス、エンハンスト・インダストリー・スタンダード・アーキテクチャ（ＥＩＳＡ）バス、フロントサイド・バス（ＦＳＢ）、ハイパートランスポート（ＨＴ）インターコネクト、インダストリー・スタンダード・アーキテクチャ（ＩＳＡ）バス、インフィニバンド・インターコネクト、ローピンカウント（ＬＰＣ）バス、メモリ・バス、マイクロ・チャネル・アーキテクチャ（ＭＣＡ）バス、ペリフェラル・コンポーネント・インターコネクト（ＰＣＩ）バス、ＰＣＩエクスプレス（ＰＣＩｅ）バス、シリアル・アドバンスト・テクノロジー・アタッチメント（ＳＡＴＡ）バス、ビデオ・エレクトロニクス・スタンダーズ・アソシエーション・ローカル（ＶＬＢ）バス、または別の適切なバス、またはこれらのうちの複数の組合せを含むことができる。バス７２は、適切な場合には、１つまたは複数のバス７２を含むことができる。本開示は、特定のバスについて記述し、示しているが、本開示は、任意の適切なバスまたはインターコネクトを想定している。
【００５８】
本明細書においては、１つまたは複数の非一時的なコンピュータ可読記憶媒体は、適切な場合には、１つもしくは複数の半導体ベースのもしくはその他の集積回路（ＩＣ）（たとえば、フィールドプログラマブル・ゲート・アレイ（ＦＰＧＡ）もしくは特定用途向け集積回路（ＡＳＩＣ）など）、ハード・ディスク・ドライブ（ＨＤＤ）、ハイブリッド・ハード・ドライブ（ＨＨＤ）、光ディスク、光ディスク・ドライブ（ＯＤＤ）、光磁気ディスク、光磁気ドライブ、フロッピー（登録商標）・ディスケット、フロッピー（登録商標）・ディスク・ドライブ（ＦＤＤ）、磁気テープ、ソリッドステート・ドライブ（ＳＳＤ）、ＲＡＭドライブ、セキュア・デジタル・カードもしくはドライブ、その他の任意の適切な非一時的なコンピュータ可読記憶媒体、またはこれらのうちの複数の組合せを含むことができる。非一時的なコンピュータ可読記憶媒体は、適切な場合には、揮発性、不揮発性、または揮発性と不揮発性の組合せであることが可能である。
【００５９】
本明細書においては、「または（もしくは）」は、包含的であり、排他的ではない（ただし、そうではないことが明示されている場合、または、そうではないことが文脈によって示されている場合は除く）。したがって、本明細書においては、「ＡまたはＢ」は、「Ａ、Ｂ、またはその両方」を意味する（ただし、そうではないことが明示されている場合、または、そうではないことが文脈によって示されている場合は除く）。その上、「および（ならびに）」は、包括的および個別的の両方である（ただし、そうではないことが明示されている場合、または、そうではないことが文脈によって示されている場合は除く）。したがって、本明細書においては、「ＡおよびＢ」は、「まとめて、または個別に、ＡおよびＢ」を意味する（ただし、そうではないことが明示されている場合、または、そうではないことが文脈によって示されている場合は除く）。
【００６０】
本開示の範囲は、当技術分野における標準的な技術者が理解するであろう、本明細書において記述されているまたは示されている例示的な実施形態に対するすべての変更、置換、変形、改変、および修正を包含する。本開示の範囲は、本明細書において記述されているまたは示されている例示的な実施形態に限定されない。その上、本開示は、本明細書におけるそれぞれの実施形態を、特定のコンポーネント、要素、機能、オペレーション、または工程を含むものとして記述し、示しているが、これらの実施形態のいずれも、当技術分野における標準的な技術者が理解するであろう、本明細書の任意の箇所において記述されているまたは示されているコンポーネント、要素、機能、オペレーション、または工程のうちの任意のものの任意の組合せまたは順列を含むことができる。さらに、特定の機能を実行するように適合されている、実行するようにアレンジされている、実行することができる、実行するように構成されている、実行することを可能にされている、実行するように機能できる、または実行するように機能する装置もしくはシステム、または装置もしくはシステムのコンポーネントへの添付の特許請求の範囲における言及は、その装置、システム、コンポーネント、またはその特定の機能が、アクティブ化されているか否か、オンにされているか否か、またはロック解除されているか否かを問わず、その装置、システム、またはコンポーネントが、そうするように適合されている、そうするようにアレンジされている、そうすることができる、そうするように構成されている、そうすることを可能にされている、そうするように機能できる、またはそうするように機能する限り、その装置、システム、コンポーネントを包含する。
【図１】
2018092646.tif 000003
【図２】
2018092646.tif 000004
【図３Ａ】
2018092646.tif 000005
【図３Ｂ】
2018092646.tif 000006
【図４】
2018092646.tif 000007
【図５】
2018092646.tif 000008
【図６】
2018092646.tif 000009
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
コンピューティング・デバイスによって、１つ以上の基準に少なくとも一部基づき表示するために第１の組のコンテンツ・オブジェクトを識別する工程であって、該基準は、第１のユーザと、１人以上の第２のユーザとの間のソーシャルグラフの情報に少なくとも一部基づく、第１の組のコンテンツ・オブジェクトを識別する工程と、
前記コンピューティング・デバイスによって、基準に基づき前記第１の組のコンテンツ・オブジェクトから１つ以上のコンテンツ・オブジェクトを選択する工程と、
前記コンピューティング・デバイスによって、前記選択されたコンテンツ・オブジェクトをユーザ・インターフェース（ＵＩ）上に表示する工程であって、前記ユーザ・インターフェースは、前記第１のユーザのコンピューティング・デバイスのロック・スクリーンであり、前記ロック・スクリーンは、ロックされたモードにある間、前記第１のユーザの前記コンピューティング・デバイスとの対話を制限する、前記表示する工程と、
前記コンピューティング・デバイスによって、前記表示された選択されたコンテンツ・オブジェクトを動的に調整する工程であって、該動的に調整する工程は、
前記第１のユーザの前記コンピューティング・デバイスの現在の地理的位置を判断する工程と、
前記第１のユーザの前記コンピューティング・デバイスの前記現在の地理的位置に関連するコンテンツ成熟しきい値レベルを判断する工程と、
第２の組のコンテンツ・オブジェクトを識別する工程であって、前記第２の組の前記コンテンツ・オブジェクトの各々は、前記判断されたコンテンツ成熟しきい値レベルを満たすコンテンツ成熟等級を有する、前記第２の組のコンテンツ・オブジェクトを識別する工程と、
前記ユーザ・インターフェース上に表示するために前記第２の組のコンテンツ・オブジェクトから１つ以上のコンテンツ・オブジェクトを選択する工程とを含む、前記表示された選択されたコンテンツ・オブジェクトを動的に調整する工程と、を含み、
前記コンピューティング・デバイスによって、更新されたコンテンツ成熟しきい値レベルに基づいて少なくとも１つの他のコンテンツ・オブジェクトを動的に識別する工程と、
前記コンピューティング・デバイスによって、前記動的な識別に基づいて前記少なくとも１つの他のコンテンツ・オブジェクトを動的に表示する工程と
を含むことを特徴とする方法。
【請求項２】
前記ソーシャルグラフは、複数のノードおよび該ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項１に記載の方法。
【請求項３】
前記少なくとも１つの他のコンテンツ・オブジェクトのコンテンツ成熟等級を決定する工程と、
前記少なくとも１つの他のコンテンツ・オブジェクトの前記コンテンツ成熟等級が前記更新されたコンテンツ成熟しきい値レベルを超えることを決定する工程とを更に含むことを特徴とする請求項１に記載の方法。
【請求項４】
前記識別工程は、１つ以上の前記コンテンツ・オブジェクトが、ソーシャルネットワーキング・システムの１人以上のユーザによってスパムとしてフラグを立てられたかどうかを判断する工程を含むことを特徴とする請求項１に記載の方法。
【請求項５】
前記識別工程は、前記第１のユーザのユーザ・プロフィールまたはソーシャルグラフの情報と、１人以上の前記第２のユーザとの間の重なりの量を測定する工程を含むことを特徴とする請求項１に記載の方法。
【請求項６】
前記コンピューティング・デバイスは、ソーシャルネットワーキング・システムのサーバ・コンピューティング・デバイスであることを特徴とする請求項１に記載の方法。
【請求項７】
前記コンピューティング・デバイスは、前記第１のユーザのモバイル・コンピューティング・デバイスであることを特徴とする請求項１に記載の方法。
【請求項８】
ソフトウェアを具現化する１つ以上のコンピュータ可読非一時的記憶媒体であって、前記ソフトウェアは、実行時に、
１つ以上の基準に少なくとも一部基づき表示するための第１の組のコンテンツ・オブジェクトを識別し、該基準は、第１のユーザと、１人以上の第２のユーザとの間のソーシャルグラフの情報に少なくとも一部基づき、
前記基準に基づき前記第１の組のコンテンツ・オブジェクトから１つ以上のコンテンツ・オブジェクトを選択し、
前記選択されたコンテンツ・オブジェクトをユーザ・インターフェース（ＵＩ）上に表示し、ここで、前記ユーザ・インターフェースは、前記第１のユーザのコンピューティング・デバイスのロック・スクリーンであり、前記ロック・スクリーンは、ロックされたモードにある間、前記第１のユーザの前記コンピューティング・デバイスとの対話を制限し、
前記表示された選択されたコンテンツ・オブジェクトを動的に調整し、該動的な調整は、
前記第１のユーザのコンピューティング・デバイスの現在の地理的位置を判断し、
前記第１のユーザの前記コンピューティング・デバイスの前記現在の地理的位置に関連するコンテンツ成熟しきい値レベルを決定し、
第２の組のコンテンツ・オブジェクトを識別し、前記第２の組の前記コンテンツ・オブジェクトの各々は、前記決定されたコンテンツ成熟しきい値レベルを満たすコンテンツ成熟等級を有し、
前記ユーザ・インターフェース上に表示するために前記第２の組のコンテンツ・オブジェクトから１つ以上のコンテンツ・オブジェクトを選択することを含み、
更新されたコンテンツ成熟しきい値レベルに基づいて少なくとも１つの他のコンテンツ・オブジェクトを動的に識別し、
前記動的な識別に基づいて前記少なくとも１つの他のコンテンツ・オブジェクトを動的に表示するように構成されることを特徴とするコンピュータ可読非一時的記憶媒体。
【請求項９】
前記ソーシャルグラフは、複数のノードおよび該ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項８に記載の媒体。
【請求項１０】
実行時に、
前記少なくとも１つの他のコンテンツ・オブジェクトのコンテンツ成熟等級を決定し、
前記少なくとも１つの他のコンテンツ・オブジェクトの前記コンテンツ成熟等級が前記更新されたコンテンツ成熟しきい値レベルを超えることを判断するように構成されるソフトウェアを更に具現化することを特徴とする請求項８に記載の媒体。
【請求項１１】
前記識別は、１つ以上の前記コンテンツ・オブジェクトが、ソーシャルネットワーキング・システムの１人以上のユーザによってスパムとしてフラグを立てられたかどうかの判断を含むことを特徴とする請求項８に記載の媒体。
【請求項１２】
前記識別は、前記第１のユーザのユーザ・プロフィールまたはソーシャルグラフの情報と、１人以上の前記第２のユーザとの間の重なりの量の測定を含むことを特徴とする請求項８に記載の媒体。
【請求項１３】
前記媒体は、ソーシャルネットワーキング・システムのサーバ・コンピューティング・デバイスのプロセッサに接続されることを特徴とする請求項８に記載の媒体。
【請求項１４】
前記媒体は、前記第１のユーザのモバイル・コンピューティング・デバイスのプロセッサに接続されることを特徴とする請求項８に記載の媒体。
【請求項１５】
プロセッサと、
該プロセッサに接続される１つ以上のコンピュータ可読非一時的記憶媒体とを備え、該コンピュータ可読非一時的記憶媒体は、
１つ以上の基準に少なくとも一部基づき表示するための第１の組のコンテンツ・オブジェクトを識別する工程であって、該基準は、第１のユーザと、１人以上の第２のユーザとの間のソーシャルグラフの情報に少なくとも一部基づく、第１の組のコンテンツ・オブジェクトを識別する工程と、
前記基準に基づき前記第１の組のコンテンツ・オブジェクトから１つ以上のコンテンツ・オブジェクトを選択する工程と、
前記選択されたコンテンツ・オブジェクトをユーザ・インターフェース（ＵＩ）上に表示する工程であって、前記ユーザ・インターフェースは、前記第１のユーザのコンピューティング・デバイスのロック・スクリーンであり、前記ロック・スクリーンは、ロックされたモードにある間、前記第１のユーザの前記コンピューティング・デバイスとの対話を制限する、前記表示する工程と、
前記表示された選択されたコンテンツ・オブジェクトを動的に調整する工程であって、該動的に調整する工程は、
前記第１のユーザのコンピューティング・デバイスの現在の地理的位置を判断する工程と、
前記第１のユーザの前記コンピューティング・デバイスの前記現在の地理的位置に関連するコンテンツ成熟しきい値レベルを決定する工程と、
第２の組のコンテンツ・オブジェクトを識別する工程であって、前記第２の組の前記コンテンツ・オブジェクトの各々は、前記決定されたコンテンツ成熟しきい値レベルを満たすコンテンツ成熟等級を有する、前記第２の組のコンテンツ・オブジェクトを識別する工程と、
前記ユーザ・インターフェース上に表示するために前記第２の組のコンテンツ・オブジェクトから１つ以上のコンテンツ・オブジェクトを選択する工程とを含む、動的に調整する工程と、
更新されたコンテンツ成熟しきい値レベルに基づいて少なくとも１つの他のコンテンツ・オブジェクトを動的に識別する工程と、
前記動的な識別に基づいて前記少なくとも１つの他のコンテンツ・オブジェクトを動的に表示する工程とを含むソフトウェアを具現化することを特徴とする装置。
【請求項１６】
前記ソフトウェアは、
前記少なくとも１つの他のコンテンツ・オブジェクトのコンテンツ成熟等級を決定する工程と、
前記少なくとも１つの他のコンテンツ・オブジェクトの前記コンテンツ成熟等級が前記更新されたコンテンツ成熟しきい値レベルを超えることを判断する工程とを更に含むことを特徴とする請求項１５に記載の装置。
【請求項１７】
前記識別する工程は、１つ以上の前記コンテンツ・オブジェクトが、ソーシャルネットワーキング・システムの１人以上のユーザによってスパムとしてフラグを立てられたかどうかを判断する工程を含むことを特徴とする請求項１５に記載の装置。
【請求項１８】
前記ソーシャルグラフは、複数のノードおよび該ノード同士を接続するエッジを含み、前記グラフの少なくとも１つのノードは、前記第１のユーザに対応し、前記グラフの少なくとも１つのノードは、各第２のユーザに対応し、
前記第２のユーザが少なくともその一部に基づき識別されるという前記ソーシャルグラフの情報は、前記第１のユーザに対応する前記ノードのうちの少なくとも１つ、およびエッジによって互いに接続される各第２のユーザに対応する前記ノードのうちの少なくとも１つを含むことを特徴とする請求項１５に記載の装置。
【請求項１９】
前記識別する工程は、前記第１のユーザのユーザ・プロフィールまたはソーシャルグラフの情報と、１人以上の前記第２のユーザとの間の重なりの量を測定する工程を含むことを特徴とする請求項１５に記載の装置。
【請求項２０】
前記プロセッサは、ソーシャルネットワーキング・システムのサーバ・コンピューティング・デバイスのプロセッサであることを特徴とする請求項１５に記載の装置。
【請求項２１】
前記プロセッサは、前記第１のユーザのモバイル・コンピューティング・デバイスのプロセッサであることを特徴とする請求項１５に記載の装置。